(57)【特許請求の範囲】
【請求項１】
所定の給水源から給水された水を貯溜水として貯溜するための貯溜部と、該貯溜部に貯溜された貯溜水を外部に排水するための排水口とを有し、前記排水口を所定量の溜水が溜まった便器と接続し、該排水口を所定の指示に伴って開状態とすることにより、前記溜水を排出するために前記便器に排水する洗浄水タンクであって、
前記所定の指示を行なうための手段として、前記便器に排水する水量として規定された複数通りの水量の中から一の水量を選択し、該選択された水量で前記便器への水の排水を指示する指示手段を備えると共に、
前記指示手段による指示がなされた後、前記給水源から給水された所定量の水を所定の吐水口から吐水する吐水手段と、
該吐水手段により吐水される水のうちの一部の水を、前記排水された貯溜水を回復するために前記貯溜部に貯溜水として貯溜する貯溜手段と、
前記一部の水以外の残余の水を、前記貯溜水として貯溜することなく、前記排出された溜水を回復するために前記便器に供給する供給手段と、
該供給手段により便器に残余の水が供給される態様および前記貯溜手段により貯溜部に一部の水が貯溜される態様のうちの少なくとも一方を、前記便器に排水される水量に応じて制御する制御手段と、を備え、
前記制御手段は、前記便器に残余の水を供給する態様として、残余の水が供給される時間を制御する手段であり、前記残余の水を供給する時間を、前記便器に排水される水量が多いほど、該時間が前記貯溜部に一部の水を貯溜する時間より短くなるように制御する手段である、洗浄水タンク。
【請求項２】
所定の給水源から給水された水を貯溜水として貯溜するための貯溜部と、該貯溜部に貯溜された貯溜水を外部に排水するための排水口とを有し、前記排水口を所定量の溜水が溜まった便器と接続し、該排水口を所定の指示に伴って開状態とすることにより、前記溜水を排出するために前記便器に排水する洗浄水タンクであって、
前記所定の指示を行なうための手段として、前記便器に排水する水量として規定された複数通りの水量の中から一の水量を選択し、該選択された水量で前記便器への水の排水を指示する指示手段を備えると共に、
前記指示手段による指示がなされた後、前記給水源から給水された所定量の水を所定の吐水口から吐水する吐水手段と、
該吐水手段により吐水される水のうちの一部の水を、前記排水された貯溜水を回復するために前記貯溜部に貯溜水として貯溜する貯溜手段と、
前記一部の水以外の残余の水を、前記貯溜水として貯溜することなく、前記排出された溜水を回復するために前記便器に供給する供給手段と、
該供給手段により便器に残余の水が供給される態様を、前記便器に排水される水量に応じて制御する制御手段と、を備え、
前記制御手段は、前記便器に残余の水を供給する態様として、残余の水が供給される時間を制御する手段であり、前記便器における残り水の水位である残水位から洗浄動作前の溜水の水位である基準溜水位まで戻すのに不足しない程度の水量が、前記便器に供給されるように、残余の水が供給される時間を制御する手段である、洗浄水タンク。
【請求項３】
所定の給水源から給水された水を貯溜水として貯溜するための貯溜部と、該貯溜部に貯溜された貯溜水を外部に排水するための排水口とを有し、前記排水口を所定量の溜水が溜まった便器と接続し、該排水口を所定の指示に伴って開状態とすることにより、前記溜水を排出するために前記便器に排水する洗浄水タンクであって、
前記所定の指示を行なうための手段として、前記便器に排水する水量として規定された複数通りの水量の中から一の水量を選択し、該選択された水量で前記便器への水の排水を指示する指示手段を備えると共に、
前記指示手段による指示がなされた後、前記給水源から給水された所定量の水を所定の吐水口から吐水する吐水手段と、
該吐水手段により吐水される水を、前記排水された貯溜水を回復するために前記貯溜部に貯溜水として貯溜する貯溜手段と、
前記貯溜部に溜まった前記貯溜水の一部を、前記排出された溜水を回復するために前記貯溜部の内部を経由して前記便器に供給する供給手段と、
該供給手段により便器に前記排出された溜水を回復するための水が供給される態様を、  前記便器に排水される水量に応じて制御する制御手段と、を備え、
前記制御手段は、前記便器に前記排出された溜水を回復するための水を供給する態様として、前記貯溜水の一部を、前記排出された溜水を回復するための水として前記便器に供給する時間を制御する手段である、洗浄水タンク。
【請求項４】
所定の給水源から給水された水を貯溜水として貯溜するための貯溜部と、該貯溜部に溜された貯溜水を外部に排水するための排水口とを有し、前記排水口を所定量の溜水が溜まった便器と接続し、該排水口を所定の指示に伴って開状態とすることにより、前記溜水を排出するために前記便器に排水する洗浄水タンクであって、
前記所定の指示を行なうための手段として、前記便器に排水する水量として規定された複数通りの水量の中から一の水量を選択し、該選択された水量で前記便器への水の排水を指示する指示手段を備えると共に、
前記指示手段による指示がなされた後、前記給水源から給水された所定量の水を所定の吐水口から吐水する吐水手段と、
該吐水手段により吐水される水のうちの一部の水を、前記排水された貯溜水を回復するために前記貯溜部に貯溜水として貯溜する貯溜手段と、
前記一部の水以外の残余の水を、前記貯溜水として貯溜することなく、前記排出された溜水を回復するために前記便器に供給する供給手段と、
該供給手段により便器に残余の水が供給される態様および前記貯溜手段により貯溜部に一部の水が貯溜される態様のうち少なくとも一方を、前記便器に排水される水量に応じて制御する制御手段と、を備え、
前記制御手段は、前記貯溜部に一部の水を貯溜する態様として、該貯溜部に単位時間当たりに貯溜される水量を制御し、前記便器に残余の水を供給する態様として、残余の水が供給される時間を制御する手段である、洗浄水タンク。
【請求項５】
所定の給水源から給水された水を貯溜水として貯溜するための貯溜部と、該貯溜部に貯溜された貯溜水を外部に排水するための排水口とを有し、前記排水口を所定量の溜水が溜まった便器と接続し、該排水口を所定の指示に伴って開状態とすることにより、前記溜水を排出するために前記便器に排水する洗浄水タンクであって、
前記所定の指示を行なうための手段として、前記便器に排水する水量として規定された複数通りの水量の中から一の水量を選択し、該選択された水量で前記便器への水の排水を指示する指示手段を備えると共に、
前記指示手段による指示がなされた後、前記給水源から給水された所定量の水を吐水する第１、第２の吐水口と、
前記第１の吐水口より吐水される水を、前記排水された貯溜水を回復するために前記貯溜部に貯溜水として貯溜する貯溜手段と、
前記第２の吐水口より吐水される水を、前記貯溜水として貯溜することなく、前記排出された溜水を回復するために前記便器に供給する供給手段と、
前記第１の吐水口より吐水される水の単位時間当たりの水量を調整する切換弁と、
前記第２の吐水口の上流側に設けられ、前記第２の吐水口への水の供給、停止を切り換える開閉弁と、
前記切換弁および前記開閉弁を制御する制御手段と、を備え、
前記制御手段は、前記便器に排水される水量に応じて、前記第１の吐水口より吐水される水の単位時間当たりの水量を制御すると共に、前記第２の吐水口より吐水される水の供給時間を制御する、洗浄水タンク。
【発明の詳細な説明】
【技術分野】
【０００１】
本発明は、洗浄水タンクに関し、詳しくは、所定の給水源から給水された水を貯溜水
として貯溜するための貯溜部と、該貯溜部に貯溜された貯溜水を外部に排水するための排水口とを有し、前記排水口を便器と接続し、該排水口を、所定の指示に伴って開状態とすることにより前記便器に排水する洗浄水タンクに関する。
【背景技術】
【０００２】
近年の洗浄水タンクは、近年、タンク内に予め貯溜された水（以下、貯溜水という）を複数通りの水量で便器に排水可能に構成されている場合が多い。例えば、汚水管に排出すべき汚物の種類に応じて「大洗浄」，「小洗浄」という２つの洗浄形態を設け、大洗浄
の指示がなされたときには比較的多量の貯溜水を、小洗浄の指示がなされたときには大洗浄の場合よりも少量の貯溜水を、それぞれ便器に排水する構成がある。このような構成により、便器の洗浄の際に使用される水の量を全体として低減し、節水を図っている。
【０００３】
このような貯溜水の便器への排水により、洗浄水タンク内の貯溜水の量は減少する。また、洗浄開始前に、便器に形成された排水路内の底壁の最も高い位置である堰の高さまで溜まっていた溜水は、汚物とともに、堰を越えて汚水管に排出される。便器の洗浄を繰り
返し実行するためには、洗浄水タンク内の貯溜水および便器内の溜水を、洗浄指示がなされる前と同じ状態に戻すことが必要となる。そこで、洗浄指示がなされた後に、所定の給水源からの水の洗浄水タンク内への吐水を開始し、貯溜水の量が洗浄前と同じ状態に回復したときに洗浄水タンク内への吐水を停止することにより、貯溜水および溜水の量を洗浄前と同じ状態に回復している。
【先行技術文献】
【特許文献】
【０００４】
【特許文献１】特開平８−３０２７８１号公報
【発明の概要】
【発明が解決しようとする課題】
【０００５】
しかしながら、上記のような従来の洗浄水タンクでは、洗浄指示がなされた後に、洗浄水タンク内に単位時間当たりに吐水される水の量は、便器に排水される水量の多少に拘わらず、ほぼ一定であり、洗浄水タンク内に吐水される期間は、便器に排水された貯溜水の量が多いほど、長くなっていた。従って、比較的多量の貯溜水を便器に排水した場合には、タンク内への吐水期間が長いために、洗浄開始前の溜水の状態に戻った後もなお便器に水が供給され続け、この過剰に供給された水が堰を越えて溢れ出てしまい（以下、この水を「こぼし水」という）、水の無駄を生じるという問題があった。例えば、従来の洗浄水タンクでは、大洗浄の場合に約１リットル程度のこぼし水を生じさせていた。また、ボール面への給水量のばらつきを見越して一定量のこぼし水を給水量に入れる場合もあるが、それにしても従来の洗浄タンクでは多量に流した場合の便器への水の供給量が過剰に大きくなることは同じである。
【０００６】
洗浄水タンク内に単位時間当たりに吐水される水の量を、比較的多量の貯溜水を便器に排水した場合を基準として、貯溜水の量が洗浄前と同じ状態に回復する時期と溜水の量が洗浄前と同じ状態に回復する時期とが同期するように定めれば、上記した水の無駄を防止することが可能である。しかしながら、少量の貯溜水を便器に排水した場合には、タンク内への吐水期間が短くなるため、洗浄開始前の溜水の状態に戻る前に便器への水の供給が停止してしまい、溜水の量を洗浄前と同じ状態に回復することができなくなってしまう。
【０００７】
そこで、本発明は、以上の課題を解決し、便器の洗浄に用いられた水量の多少に拘わらず、便器内の溜水を洗浄前と同じ状態に回復し、しかも、こぼし水による水の無駄を防止することを目的として、以下の構成を採った。
【課題を解決するための手段】
【０００８】
本発明の洗浄水タンクは、所定の給水源から給水された水を貯溜水として貯溜するための貯溜部と、該貯溜部に貯溜された貯溜水を外部に排水するための排水口とを有し、前記排水口を所定量の溜水が溜まった便器と接続し、該排水口を所定の指示に伴って開状態とすることにより、前記溜水を排出するために前記便器に排水する洗浄水タンクであって、前記所定の指示を行なうための手段として、前記便器に排水する水量として規定された複数通りの水量の中から一の水量を選択し、該選択された水量で前記便器への水の排水を指示する指示手段を備えると共に、前記指示手段による指示がなされた後、前記給水源から給水された所定量の水を所定の吐水口から吐水する吐水手段と、該吐水手段により吐水される水のうちの一部の水を、前記排水された貯溜水を回復するために前記貯溜部に貯溜水として貯溜する貯溜手段と、前記一部の水以外の残余の水を、前記貯溜水として貯溜することなく、前記排出された溜水を回復するために前記便器に供給する供給手段と、該供給手段により便器に残余の水が供給される態様および前記貯溜手段により貯溜部に一部の水が貯溜される態様のうちの少なくとも一方を、前記便器に排水される水量に応じて制御する制御手段とを備えたことを要旨とする。  
【０００９】
ここで、洗浄水タンクから便器に排水する水量は、複数通りに規定されていれば、２通りでも３通り以上でもよい。  
【００１０】
また、便器への洗浄水の排水を指示する方法は、使用者の操作に基づいて指示する方法のほか、使用者による使用を自動的に検知し、この検知結果に基づいて指示するものであってもよい。また、指示手段において、一の水量を選択する手段を、洗浄水の排水を指示する手段とは別個に設けても差し支えない。  
【００１１】
さらに、給水源から給水された水を吐水する吐水口の数は問わない。例えば、１の吐水口のみを設け、この１の吐水口から吐水される水を、貯溜部と便器とに分けて供給してもよい。  
【００１２】
加えて、供給手段は、吐水手段により吐水される水のうちの一部の水以外の残余の水を
便器に供給するものであればよく、残余の水が便器に供給されるまでの供給経路は問わな
い。例えば、貯溜部に溜まった貯溜水の一部を、洗浄水タンクの内部を経由して便器に供給するもののほか、洗浄水タンクや便器の外部に、残余の水の供給経路を設けるものであってもよい。
【００１３】
本発明の洗浄水タンクによれば、複数通りの水量の中から選択された一の水量で便器への洗浄水の排水を指示することにより、該排水口を開状態として便器に排水すると共に、給水源から給水された所定量の水を所定の吐水口から吐水し、該吐水される水のうちの一部の水を、貯溜部に貯溜水として貯溜し、一部の水以外の残余の水を、貯溜水として貯溜することなく、便器に供給するとともに、便器に残余の水が供給される態様および貯溜部に一部の水が貯溜される態様のうちの少なくとも一方を、制御手段が、便器に排水される水量に応じて制御する。このような構成を採ることにより、洗浄後の洗浄水タンクや便器を、洗浄に用いられた水の量に応じ、種々のタイミングで洗浄開始前の状態に回復することができる。  
【００１４】
便器に残余の水を供給する態様として、残余の水の単位時間当たりの供給量を制御することも好適である。こうすれば、便器内の溜水を洗浄前の状態に回復するタイミングを、自由に定めることができる。この場合において、残余の水の単位時間当たりの供給量を、便器に排水される水量が多いほど、該供給量が減少するように制御すれば、貯溜部を洗浄前の状態に回復するために、長時間に亘って吐水口からの吐水がなされる場合であっても、便器への過剰な水の供給を抑制し、こぼし水の発生を防止することができる。あるいは、適量のこぼし水を維持することができる。  
【００１５】
便器に残余の水を供給する態様として、残余の水が供給される時間を制御する構成とす
ることも可能である。この構成によっても、便器内の溜水を洗浄前の状態に回復するタイ
ミングを、自由に定めることができる。この場合において、残余の水を供給する時間を、
便器に排水される水量が多いほど、該時間が貯溜部に一部の水を貯溜する時間より短くなるように制御すれば、貯溜部を洗浄前の状態に回復するために、長時間に亘って吐水口からの吐水がなされる場合であっても、便器への過剰な水の供給を抑制し、こぼし水の発生を防止することができる。あるいは、適量のこぼし水を維持することができる。
【００１６】
貯溜部に一部の水を貯溜する態様として、該貯溜部に単位時間当たりに貯溜される水量を制御することも好適である。こうすれば、洗浄水タンク内の貯溜水を洗浄前の状態に回復するタイミングを、自由に定めることができる。この場合において、貯溜部に単位時間当たりに貯溜される水量を、便器に排水される水量が多いほど、該単位時間当たりに貯溜される水量が増加するように制御すれば、貯溜部から多量の貯溜水が排水された場合であっても、貯溜部を洗浄前の状態にいち早く回復することができる。また、便器の連続使用に必要なインターバルを短くすることが可能となる。  
【００１７】
貯溜部に一部の水を貯溜する態様として、該一部の水の貯溜に要する時間を制御する構成とすることも可能である。この構成によっても、洗浄水タンク内の貯溜水を洗浄前の状態に回復するタイミングを、自由に定めることができる。  
【００１８】
便器に残余の水を供給する態様や貯溜部に一部の水を貯溜する態様を、便器に排水される水量の多少に拘わらず、洗浄水タンク内の貯溜水の回復時期が前記溜水の回復時期と同期するように制御することも望ましい。こうすれば、便器に排水する水量としてどの水量が選択された場合にも、こぼし水の発生を防止することができる。  
【００１９】
供給手段により便器に供給される水と貯溜手段により貯溜部に貯溜される水との配分を、便器に排水される水量に応じて変更する配分変更手段を備え、該配分変更手段によって前記配分を変更することにより、該供給手段により便器に残余の水が供給される態様および前記貯溜手段により貯溜部に一部の水が貯溜される態様を制御することも好適である。こうすれば、便器の洗浄後に、洗浄水タンク内の貯溜水が回復するタイミングや便器内の溜水が回復するタイミングを、便器への排水量の多少に応じて自由に定めることができる。  
【００２０】
前記配分を、便器に排水される水量が多いほど、単位時間当たりに供給される残余の水の量が減少するように変更することも望ましい。こうすれば、貯溜部を洗浄前の状態に回復するために、吐水口からの多量の吐水が必要な場合において、便器への過剰な水の供給を抑制し、こぼし水の量を減少させることが可能となる。  
【００２１】
また、前記配分を、便器に排水される水量が多いほど、単位時間当たりに貯溜される一部の水の量が増大するように変更すれば、貯溜部から多量の貯溜水が排水された場合であっても、貯溜部を洗浄前の状態にいち早く回復することができる。これにより、便器の連続使用に必要なインターバルを短くすることが可能となる。  
【００２２】
また、前記態様を、便器に排水される水量の多少に拘わらず、洗浄水タンク内の貯溜水の回復時期が溜水の回復時期と同期するように制御する手段とすることも、こぼし水の発生や溜水量不足を確実に防止することができる点で好適である。  
【００２３】
吐水手段により吐水口から吐水される水の吐水状態を、便器に排水される水量に応じて変更する吐水状態変更手段を備え、該吐水状態変更手段によって吐水状態を変更することにより、供給手段により便器に残余の水が供給される態様および貯溜手段により貯溜部に一部の水が貯溜される態様のうちの少なくとも一方を制御することも可能である。便器に排水された水量に応じて吐水口からの吐水状態を変更することにより、便器に残余の水が供給される態様や貯溜部に一部の水が貯溜される態様を能動的に制御可能となり、制御の精度を高めることができる。  
【００２４】
ここで、吐水状態とは、吐水口から吐水される水の様子を意味する。吐水状態には、例えば、吐水される水の単位時間当たりの吐水量や吐水時間をはじめ、吐水される水の速度や方向等が含まれる。  
【００２５】
吐水口よりも上流側の流路の通水有効断面積を変化させることにより、便器に供給される水と貯溜部に貯溜される水との配分や、吐水口からの吐水状態を変更すれば、前記配分や前記吐水状態を確実に変更できる点で好適である。例えば、吐水口よりも上流側の流路に、通水有効断面積を変化させるための切り換え弁を設ける構成を考えることができる。  
【００２６】
また、吐水口の口径を異ならせることにより、便器に供給される水と貯溜部に貯溜される水との配分や、吐水口からの吐水状態を変更することも、該変更を簡易な構造で実現可能となる点で望ましい。なお、「吐水口の口径を異ならせる」には、複数の吐水口の口径をそれぞれ異ならせる場合のみならず、１の吐水口の口径を可変とする場合等をも含む。  
【００２７】
制御手段により制御される態様を、指示手段による指示動作に伴って決定することも好適である。このような構成によれば、便器に排水する水量が指示されるに伴って、該指示された水量の場合における残余の水が供給される態様や貯溜部に一部の水が貯溜される態様が決定される。従って、残余の水が供給される態様や貯溜部に一部の水が貯溜される態様を便器に排水する水量の多少に応じた態様に決定するために、複雑な調整を行なう必要がない。  
【００２８】
指示手段として、操作により、一の水量を選択し、該選択された水量で便器への水の排水を指示する操作部を備え、該操作部を操作することにより、排水口を開状態として便器に排水するとともに、制御手段により制御される態様を決定する構成を採ることも可能である。こうすれば、操作部の操作という通常の動作を行なうだけで、残余の水が便器に供給される態様や一部の水が貯溜部に貯溜される態様を、便器に排水される水量に応じた態様に決定することが可能となり、簡便である。例えば、操作部を、押圧により動作する操作釦としての形式で設ければ、操作釦を押して水の排水を指示するだけで、この排水量に応じた残余の水が便器に供給される態様や一部の水が貯溜部に貯溜される態様を決定することができる。  
【００２９】
上記の洗浄水タンクを備えた水洗便器として、発明を構成することも可能である。また、当該水洗便器を、サイホン作用を利用して便器の洗浄を行なうサイホン式便器とすれば、便器の洗浄後における貯溜水や溜水の回復を、便器に排水される水量に応じて、効率的に行なうことができる。  
【００３０】
本発明の便所装置は、汚物を排出するための排水路が設けられた便器と、該便器に水を供給する供給装置とを備え、前記便器内に、前記排水路内の底壁の最も高い位置である堰の高さまで溜水を溜め、前記便器に供給される水量として複数規定された水量の中から一の水量を選択することにより、該一の水量分の水を前記溜水の溜まった便器に供給し、該供給に伴う前記排水路内への水の進入によって生じるサイホン作用を利用して、前記汚物および前記溜水を前記堰を越える位置まで搬送し、前記便器を洗浄する便所装置であって、前記汚物および前記溜水の搬送に伴って、該搬送された溜水に替わる水を前記供給装置から前記便器に供給し、該便器への水の供給を、前記選択された一の水量の多少に拘わらず、前記堰を越える水の量が所定量以下のときに停止する供給停止手段を備えたことを要旨とする。  
【００３１】
ここで、汚物には、大便や小便等の排泄物のほか、使用後のトイレットペーパーや使用後の便座シート等の紙類等を含む。また、堰を越える水の量の「所定量」の値については、従来の便器よりも少量であればよく、汚物の状態や排水条件を考慮しつつ、良好な封水の形成と節水とのバランスが適切となるように定めることが望ましい。  
【００３２】
本発明の便所装置によれば、便器に供給される水量として複数規定された水量の中から一の水量を選択することにより、該一の水量分の水を溜水の溜まった便器に供給し、汚物および溜水を堰を越える位置まで搬送するとともに、搬送された溜水に替わる水を供給装置から便器に供給する。この便器への水の供給を、選択された一の水量の多少に拘わらず、堰を越える水の量が所定量以下のときに停止する。従って、如何なる量の水が便器の洗浄に用いられた場合にも、便器内の溜水を洗浄前の状態に回復する際に、過剰なこぼし水が生じてしまうことがなく、水の無駄を防止することができる。  
【００３３】
供給停止手段を、便器内の水位が前記堰の高さまで上昇したときに、便器への水の供給
を停止する手段とすることも、こぼし水の発生を完全に防止することができる点で望まし
い。また、供給停止手段を、便器における残り水の水位である残水位から洗浄動作前の溜水の水位である基準溜水位まで戻すのに不足しない程度の水量が、便器に供給されたときに便器への水の供給を停止する手段とすれば、従来よりも大幅にこぼし水の量を減少させることが可能となり、節水に寄与する。
【００３４】
本発明の吐水状態変更装置は、給水される水の入口である給水口と、該入口から進入した水の流路である管体と、該管体と連通する吐水口とを有し、所定の弁を開くことにより、給水口から給水された水を管体内に供給し、前記吐水口から吐水する吐水装置に関し、該吐水装置に装着され、前記吐水口からの吐水状態を変更する吐水状態変更装置であって、前記吐水装置は、前記管体と連通する複数の吐水口を備えた装置であり、該複数の各吐水口から吐水される水の配分を、所定の操作に基づいて変更することを要旨とする。  
【００３５】
本発明の吐水状態変更装置によれば、複数の吐水口を備えた吐水装置に装着されて、所定の操作を行なうことにより、複数の各吐水口から吐水される水の配分を変更する。従って、各吐水口から吐水される水の状態を自由に調節することができる。  
【００３６】
上記吐水状態変更装置を、吐水装置の管体に装着するものとすれば、吐水口に装着する場合と比較し、各吐水口から吐水される水の配分を正確に定めることができる。また、吐水装置を、給水された水を洗浄水タンク内に吐水するための装置であって、複数の吐水口として、洗浄水タンク内に貯溜するための水を吐水する１の吐水口と、洗浄水タンクに装着される便器に供給するための水を吐水する他の吐水口とを備えた装置とし、該装置の他の吐水口よりも上流側の管体に装着される構成とすることも好適である。この構成を採れば、洗浄水タンク内に貯溜する水と、便器に供給する水との配分を、自由な配分に調節することができる。吐水状態変更装置。  
【００３７】
また、洗浄水タンクから便器に排水する水量として規定された複数通りの水量の中から一の水量を選択し、該選択された水量で便器への洗浄水の排水を指示するための操作部を備え、該操作部の操作に伴って各吐水口から吐水される水の配分を変更することも望ましい。こうすれば、洗浄水タンクから便器に排水する水量こうすれば、操作部の操作という通常の動作を行なうだけで、洗浄水タンク内に貯溜する水と便器に供給する水との配分が変更される。従って、配分に関する別途の調節が不要となり、簡便である。  
【００３８】
上記の吐水状態変更装置を備えた水栓金具として、発明を構成することも可能である。
【図面の簡単な説明】
【００３９】
【図１】本発明の第１実施例であるサイホンゼット式の便器１０の縦断面を示す説明図である。
【図２】便器１０の上面を示す説明図である。
【図３】洗浄タンク３１０の構成を示す説明図である。
【図４】ボールタップ３２０に設けられた流量調節機構３８０の様子を示す説明図である。
【図５】切換弁３８４の構造を示す説明図である。
【図６】流量調節機構３８０の断面構成を示す説明図である。
【図７】大洗浄用ボタン３３０の操作に伴って流量調節機構３８０が動作する様子を示す説明図である。
【図８】大洗浄用ボタン３３０の操作後における、導水管３２７ａと流通孔３８４ｊとの位置関係を示す説明図である。
【図９】小洗浄用ボタン３２９の操作に伴って流量調節機構３８０が動作する様子を示す説明図である。
【図１０】小洗浄用ボタン３２９の操作後における、導水管３２７ａと流通孔３８４ｊとの位置関係を示す説明図である。
【図１１】第１実施例の便器１０の洗浄後に、便器１０に補給水が供給される態様および内装タンク３１４に貯溜水が貯溜される態様が変化する様子を示すグラフである。
【図１２】小洗浄用ボタン３２９の操作後に、内装タンク３１４内の水位が小洗浄後水位ＤＷＬ２まで低下したときの内装タンク３１４内および便器１０内の水の状態を示す説明図である。
【図１３】サイホン作用が終了した時点における内装タンク３１４内および便器１０内の水の状態を示す説明図である。
【図１４】第一吐水口３２１および第二吐水口３２３からの吐水が終了したときの内装タンク３１４内および便器１０内の水の状態示す説明図である。
【図１５】大洗浄用ボタン３３０の操作後に、内装タンク３１４内の水位が大洗浄後水位ＤＷＬ１まで低下したときの内装タンク３１４内および便器１０内の水の状態を示す説明図である。
【図１６】小洗浄の場合と異なる配分で第一吐水口３２１および第二吐水口３２３から吐水した場合における、サイホン作用の終了時点の内装タンク３１４内および便器１０内の水の状態を示す説明図である。
【図１７】本発明の第２実施例である洗浄タンク４１０を備えたサイホンゼット式便器１１０の縦断面を示す説明図である。
【図１８】切換弁４８４の構造を示す説明図である。
【図１９】小洗浄用ボタン４２９を操作した場合において、サイホン作用が終了した時点の内装タンク４１４内および便器１１０内の水の状態を示す説明図である。
【図２０】第一吐水口４２１および第二吐水口４２３からの吐水が終了したときの内装タンク４１４内および便器１１０内の水の状態示す説明図である。
【図２１】大洗浄用ボタン４３０の操作後における、導水管４２７ａと流通孔４８４ｊとの位置関係を示す説明図である。
【図２２】大洗浄用ボタン４３０を操作した場合において、サイホン作用が終了した時点の内装タンク４１４内および便器１１０内の水の状態を示す説明図である。
【図２３】本発明の第３実施例である洗浄タンク５１０を備えたサイホンゼット式便器２１０の縦断面を示す説明図である。
【図２４】切換弁５８４の構造を示す説明図である。
【図２５】大洗浄用ボタン５３０の操作後における、導水管５２７ａと流通孔５８４ｊとの位置関係を示す説明図である。
【図２６】小洗浄用ボタン５２９の操作後における、導水管５２７ａと流通孔５８４ｊとの位置関係を示す説明図である。
【図２７】大洗浄用ボタン５３０を操作した場合において、サイホン作用が終了した時点の内装タンク５１４内および便器２１０内の水の状態を示す説明図である。
【図２８】小洗浄用ボタン５２９を操作した場合において、サイホン作用が終了した時点の内装タンク５１４内および便器２１０内の水の状態を示す説明図である。
【発明を実施するための形態】
【００４０】
以上説明した本発明の構成及び作用を一層明らかにするために、以下本発明の洗浄水タンクについて、その実施の形態を説明する。まず、本発明の第１実施例である洗浄タンク３１０を備えたサイホンゼット式の便器１０について説明する。図１は、このサイホンゼット式便器１０の縦断面を示す説明図であり、図２は、この便器１０の上面を示す説明図である。この図１および図２は、便器１０の洗浄後に、洗浄タンク３１０および便器１０内における水の流動が停止したときの便器１０の様子を表わしている。  
【００４１】
サイホンゼット式便器１０は、洗浄に伴い、リム部２１の裏側の水出し孔４４からのみならず、排出口２５と対向する位置に形成されたゼット噴出孔２２からも洗浄水を噴出する。これにより、サイホン作用を早期に引き起こすことを可能としている。以下、便器１０の各部について、図１および図２を参照しつつ説明する。  
【００４２】
図１に示すように、便器１０は、汚物を受けるボール部２０を備える。ボール部２０の周壁は、便器１０の非洗浄時でも溜水ＲＷと接する覆水面２３と、便器１０の非洗浄時には溜水ＲＷと接しない乾燥面２４から構成されている。  
【００４３】
便器１０には、ボール部２０に水を供給するための機構（以下、供給機構という）と、ボール部２０内の汚物を排水立ち上げ管９０に向けて排出するための機構（以下、排出機構という）が設けられている。  
【００４４】
まず、供給機構について説明する。便器１０の後方には、洗浄タンク３１０の排水管３４６を接続するための孔である洗浄水給水孔４０が設けられており、洗浄水給水孔４０からボール部２０方向に向かう便器１０の内部には、洗浄タンク３１０からの洗浄水の流路である洗浄水給水路４１が設けられている。なお、洗浄タンク３１０の構成については、説明の便宜上、後述する。  
【００４５】
図１に示すように、洗浄水給水路４１の途中の上側の内壁には分岐孔４２が穿設されている。この分岐孔４２よりも下流側の洗浄水給水路４１は、斜め下向きの傾斜で延出した形状の滞留部４１ａとされている。  
【００４６】
滞留部４１ａの側壁にはゼット給水孔４５が設けられており、このゼット給水孔４５は、排出口２５と対向する位置に形成されたゼット噴出孔２２と、便器内部を湾曲するように形成されたゼット給水路４６を介して接続されている（図２を参照）。  
【００４７】
また、図１および図２に示すように、リム部２１の裏側は、ボール部２０上端の内周に沿った範囲に亘って、中空部を有する筒形の形状に成形されている。この中空部がリム給水路４３であり、洗浄水はこの中空部を流通する。  
【００４８】
リム給水路４３に流れ込んだ洗浄水は、リム部２１の裏側に設けられた小孔４４ｃ，大孔４４ａ等の水出し孔４４から吐出される。図２に示すように、リム部２１の裏側には、７ｍｍ径の大孔４４ａ，４ｍｍ径の中孔４４ｂ，３ｍｍ径の小孔４４ｃ，略長方形の長孔４４ｄ，ｅという５種類の形状の水出し孔４４が設けられている。  
【００４９】
これらの水出し孔４４は、リム部２１の成形の際に、リム給水路４３の底壁に形成される。勿論、これ以外の手法で水出し孔４４を設けることも可能である。例えば、リム給水路４３の底壁の全周にスリットを設けるとともに、このリム給水路４３内に、底部に複数の孔を有する中空状の樹脂成形品を装着する構成としても差し支えない。  
【００５０】
以上、便器１０の供給機構について説明した。次に、排出機構につき、図１に戻って説明する。図１に示すように、汚物溜りとしての凹部２６の奥に形成された排出口２５の先には、ボール部２０からの水や汚物の流路である排水路３０が形成されている。この排水路３０は、排出口２５から斜め上方向に延出する接続路３１，接続路３１と連続し、斜め上方向に延出する上昇路３２、上昇路３２と連続し、下方向に延出する下降路３３から構成される。  
【００５１】
下降路３３は、図１に示すように、上昇路３２の内壁下側の最も高い位置である堰３４を越えた後、略鉛直下方向の排水立ち上げ管９０に向かって延出している。このため、堰３４付近の排水路３０は、屈曲した形状とされている。このような形状とされた部分を、以下、屈曲部３５という。  
【００５２】
下降路３３の終端は、樹脂製の排水ソケット７０を介して、建築側の壁や床に設けられた排水立ち上げ管９０に接続される。なお、図１に示す便器１０の後端から排水立ち上げ管９０の中心までの距離ｋは９０ｍｍとされており、便器１０に組み付けられた洗浄タンク３１０の後端から排水立ち上げ管９０の中心までの距離ｊは１８０ｍｍとされている。つまり、排水立ち上げ管９０がトイレ室の壁から２００ｍｍの位置を中心として立ち上げられていれば、便器１０と洗浄タンク３１０のセットを、洗浄タンク３１０の背面とトイレ室の壁とのクリアランスを２０ｍｍ確保した状態で設置することができる。このように、便器１０と洗浄タンク３１０のセットによれば、排水立ち上げ管９０を建築側の壁に近い位置に設けることが可能となる。この結果、排水立ち上げ管９０からパイプスペースまでの距離が短くなり、汚物のスムーズな搬送を確保することができる。勿論、トイレ室の壁とのクリアランスを考慮しない場合には、距離ｋや距離ｊを２００ｍｍ以下の値とすることができる。  
【００５３】
排水路３０における堰３４の高さにより、ボール部２０内の溜水ＲＷの高さが定まる。図１および図２に示すように、洗浄動作前の便器１０には、堰３４を通る水平線の高さまで溜水ＲＷが溜まっている。この洗浄動作前の便器１０に溜まる溜水ＲＷの水位を、以下、基準溜水位ＰＬという。このため、基準溜水位ＰＬの高さよりも低い位置にあるボール部２０、接続路３１および上昇路３２の一部、滞留部４１ａの下部およびゼット給水路４６に、所定量の溜水ＲＷが溜まっている。この溜水ＲＷにより、排水機構からボール部２０への臭気の逆流や害虫の進入が防止される。  
【００５４】
便器１０に溜まっていた溜水ＲＷは、一回の洗浄により、新たな溜水ＲＷに置換される。第１実施例では、ボール部２０や排水路３０の形状を調整して、便器１０に溜まる溜水ＲＷの量を、従来よりも少量の約３．０リットルとしている。  
【００５５】
このように溜水ＲＷを少量とする一方、ボール部２０には、幅１８５ｍｍ×奥行き２２５ｍｍという広い面積の溜水面が確保されている。これにより、ボール部２０への汚物の固着や乾燥面２４からの臭気の発散を有効に防止することができる。  
【００５６】
次に、供給機構としての洗浄タンク３１０の構成について、図３を参照しつつ説明する。図３に示すように、洗浄タンク３１０は、外装タンク３１２およびこの外装タンク３１２の上部に装着される蓋３１７を備える。第１実施例では、外装タンク３１２と蓋３１７をいずれも陶器製とするが、樹脂のような陶器以外の材料で成形しても差し支えない。  
【００５７】
外装タンク３１２の底面の排水管接続用穴３６６，２個のボルト取付用穴３６７からは、それぞれ円筒形状の排水管３４６，２本の密結用ボルト３４２が露出している。この排水管３４６を、便器１０の後方の洗浄水給水孔４０に嵌め込みながら、便器１０後部のタンク密結孔２８に密結用ボルト３４２を差し込み、差し込まれた密結用ボルト３４２をナットで締め付けることにより、便器１０に洗浄タンク３１０が装着される。このように、便器１０と密接して連結される洗浄タンクを、以下、ロータンク型タンクという。  
【００５８】
外装タンク３１２の内部には、洗浄水を貯えるポリプロピレン製の内装タンク３１４が収納されている。この内装タンク３１４の内部には、後述するボールタップ３２０への水の供給路である流入管３２８、万一タンクが満水となった場合に水がタンクの外へあふれることを防止するオーバーフロー管３４０が設けられている。  
【００５９】
内装タンク３１４の底部には、円筒形状の排水管３４６が内装タンク３１４と一体として形成されている。図３に示すように、排水管３４６は、内装タンク３１４の底部から下方に向かって排水管接続用穴３６６越しに突出するとともに（以下、この突出した部分を下方突出部３４６ａという）、内装タンク３１４の内底から上方に僅かに突出する。この僅かに突出した部分の頂上が、内装タンク３１４内の貯溜水が進入する入口となる。この入口は、非洗浄時においては、大便用排水弁３４５で塞がれており、この大便用排水弁３４５の上に被さるように、上面が塞がれた円筒形状の小便用排水弁３４４が配置されている。  
【００６０】
また、排水管３４６は、オーバーフロー管３４０と一体として形成されている。即ち、図３に示すように、オーバーフロー管３４０の下端は、排水管３４６の下方突出部３４６ａの側面において、排水管３４６に合流している。従って、オーバーフロー管３４０に流れ込んだ水は、大便用排水弁３４５の開閉状態に拘わらず、排水管３４６に進入可能とされている。  
【００６１】
大便用排水弁３４５，小便用排水弁３４４は、それぞれ支持軸３６１，支持軸３６０によって一定の軌跡で上下動可能に支持されるとともに、第一アーム３３４，第二アーム３３３と、それぞれ鎖３３５ｂ，鎖３３５ａで繋がれている。  
【００６２】
第一アーム３３４は、オーバーフロー管３４０の前方側に位置し、第二アーム３３３は、オーバーフロー管３４０の後方側に、アーム３３４とほぼ平行に位置する。従って、図３において、アーム３３３は、アーム３３４の影に隠れた状態となっている。アーム３３４，アーム３３３は、共にオーバーフロー管３４０の入口付近の前後の側面に、それぞれピン３３７，ピン３３６を用いて軸支されている。  
【００６３】
第一アーム３３４および第二アーム３３３は、横長で若干の厚みを有する板状の部材であり、両部材は、ともに同一の形状を有する。第一アーム３３４および第二アーム３３３のそれぞれの中心には、ピン３３７，ピン３３６よりも若干拡径の貫通孔３３４ａ，貫通孔３３３ａが形成されている。  
【００６４】
第一アーム３３４の両端である片端部３３４ｂと他端部３３４ｃとは、互いに異なる形状とされている。即ち、図３に示すように、後述する第一移動体３３２の先端部の下方に配置される片端部３３４ｂの上面は、上方に突出されない形状とされているが、他端部３３４ｃには、第一アーム３３４の上面よりも上方に突出する突出部３３４ｄが形成されている。前述した鎖３３５ｂは、この他端部３３４ｃの底面において、第一アーム３３４と繋がっている。  
【００６５】
また、第二アーム３３３も、第一アーム３３４と同様の形状を備える。即ち、第二アーム３３３の両端のうちの一端であり、第一移動体３３２の先端部の下方に配置される片端部３３３ｂの上面は、上方に突出されない形状とされており、他の一端である他端部３３３ｃには、第二アーム３３３の上面よりも上方に突出する突出部３３３ｄが形成されている。前述した鎖３３５ａは、この他端部３３３ｃの底面において、第二アーム３３３と繋がっている。  
【００６６】
貫通孔３３４ａ，貫通孔３３３ａに挿入されたピン３３７，ピン３３６は、それぞれ、オーバーフロー管３４０の前方（洗浄タンク３１０の前面に向かう方向）側の側面，オーバーフロー管３４０の後方（洗浄タンク３１０の背面に向かう方向）側の側面に遊嵌されている。これにより、第一アーム３３４，第二アーム３３３は、オーバーフロー管３４０入口よりもやや下方の側面に、回転可能に軸支される。  
【００６７】
この軸支位置よりもやや下方におけるオーバーフロー管３４０の側面には、第一アーム３３４，第二アーム３３３をそれぞれ受けるための受け部３４０ａ，受け部３４０ｂが形成されている。この受け部３４０ａが、他端部３３４ｃ方向側の第一アーム３３４を支えることにより、図３に示すように、第一アーム３３４は、洗浄タンク３１０の静止状態において、ほぼ水平の状態に維持されている。これと同様に、第二アーム３３３も、受け部３４０ｂにより、洗浄タンク３１０の静止状態において、ほぼ水平の状態に維持される。このため、図３において、第二アーム３３３は、第一アーム３３４の陰に隠れた状態となっている。  
【００６８】
蓋３１７の頂面には、大洗浄用ボタン３３０，小洗浄用ボタン３２９という２つの操作ボタンが設けられている。大洗浄用ボタン３３０および小洗浄用ボタン３２９は、下方向に押圧可能に構成されている。即ち、大洗浄用ボタン３３０および小洗浄用ボタン３２９は、押圧により所定の距離だけ下方向に移動し、押圧を止めたときに元の状態に復帰する。なお、第１実施例では、大洗浄用ボタン３３０のちょうど後側に小洗浄用ボタン３２９を配置している。このため、図３において、小洗浄用ボタン３２９は、大洗浄用ボタン３３０の陰に隠れた状態となっている。  
【００６９】
なお、大洗浄用ボタン３３０，小洗浄用ボタン３２９を、上記以外の態様で配置することも可能である。例えば、小洗浄用ボタン３２９の後側に大洗浄用ボタン３３０を配置する構成や、大洗浄用ボタン３３０，小洗浄用ボタン３２９を横並びで配置する構成などを考えることができる。小洗浄用ボタン３２９の後側に大洗浄用ボタン３３０を配置した場合には、大洗浄用ボタン３３０よりも小洗浄用ボタン３２９の方が使用者に近くなるので、使用頻度の多い小洗浄用ボタン３２９の操作をより楽に行なうことができる。  
【００７０】
図３に示すように、大洗浄用ボタン３３０，小洗浄用ボタン３２９には、第一移動体３３２，第二移動体３３１が連結されている。第１実施例では、第一移動体３３２と第二移動体３３１とは同一の形状なので、図３において、第二移動体３３１は、第一移動体３３２の陰に隠れた状態となっている。  
【００７１】
第一移動体３３２，第二移動体３３１の末端は、洗浄タンク３１０の静止状態において、それぞれ、第一アーム３３４の片端部３３４ｂのやや上方，第二アーム３３３の片端部３３３ｂのやや上方に位置する。これにより、大洗浄用ボタン３３０，小洗浄用ボタン３２９の押圧動作が、それぞれ第一移動体３３２，第二移動体３３１を介して、第一アーム３３４、第二アーム３３３に伝達可能となる。  
【００７２】
給水装置としてのボールタップ３２０の構成について説明する。図３に示すように、上下方向に設けられた流入管３２８の下端には、給水立ち上げ管からの水を止水栓を介して供給する給水ホース３２４が接続され、流入管３２８の上端にはボールタップ３２０の給水口３２５が接続されている。従って、止水栓からの水は、給水ホース３２４，流入管３２８を通じてボールタップ３２０に供給される。  
【００７３】
ボールタップ３２０は、内装タンク３１４内への水の供給を制御する機構であり、この制御を行なうために、アーム３５０によって浮子３２２と接続された開閉弁３１９（図３においては図示せず）を内蔵する。この開閉弁３１９の開閉は、内装タンク３１４内の水位の変化に伴う浮子３２２の上下により行なわれる。即ち、内装タンク３１４内の水位が下がると、水に浮いた状態の浮子３２２が下降し、これに伴ってアーム３５０が下方に移動する。浮子３２２が所定の位置まで下降したときに、アーム３５０によって開閉弁３１９が開かれる。これにより、内装タンク３１４内に水を供給可能な状態となる。一方、浮子３２２は、内装タンク３１４内の水位の上昇に伴って上昇し、これに伴ってアーム３５０が上方に移動する。浮子３２２が所定の位置まで上昇したときに、アーム３５０によって開閉弁３１９が閉じられる。この閉弁により、内装タンク３１４内への水の供給が停止される。  
【００７４】
なお、洗浄タンク３１０は、内装タンク３１４内に６リットルの水が溜まったときの水位（以下、基準水位ＷＬという）まで浮子３２２が移動したときに、開閉弁３１９の弁を閉じる構成を採る。即ち、洗浄タンク３１０内に溜まる水の容量（以下、タンク容量という）は６リットルとなる。  
【００７５】
開閉弁３１９を通過した水は、導水管３２７に流れ込み、第一吐水口３２１,第二吐水口３２３から吐出される。図３に示すように、第一吐水口３２１は、内装タンク３１４の底面方向の、排水管３４６とは若干ずれた位置に向けられている。一方、第二吐水口３２３は、オーバーフロー管３４０の入口に向けられている。なお、第一吐水口３２１と第二吐水口３２３との間には、流量調節機構３８０が設けられているが、この流量調節機構３８０の詳細については後述する。  
【００７６】
以上、供給機構としての洗浄タンク３１０の構成について説明した。次に、この洗浄タンク３１０から便器１０に水が排水される仕組みについて説明する。洗浄開始前の内装タンク３１４には、基準水位の高さまで貯溜水が溜まっている。この状態から大洗浄用ボタン３３０が操作されると、大洗浄用ボタン３３０の下方向への移動に伴って第一移動体３３２が下方向に移動し、第一移動体３３２の先端が第一アーム３３４の片端部３３４ｂに当接して、片端部３３４ｂを押し下げる。これにより、第一アーム３３４がピン３３７を中心として約４５°回転し、この回転により、第一アーム３３４が鎖３３５ｂを介して大便用排水弁３４５を引き上げる。これにより大便用排水弁３４５が開弁し、大便用排水弁３４５で覆われていた排水管３４６の入口に、内装タンク３１４内の貯溜水が流入する。  
【００７７】
大便用排水弁３４５を支持する支持軸３６１は、タンク容量である６リットルの貯溜水のうちの４リットルの貯溜水が排水管３４６から排出されるまでの間、大便用排水弁３４５を引き上げた状態，即ち開弁状態に保つように構成されている。従って、大洗浄の操作がされた場合には、常に、４リットルという一定の量の貯溜水が排水管３４６に流入する。即ち、支持軸３６１は、排水管３４６への貯溜水の流入が開始された後、元の位置である下方に向かって徐々に移動し、４リットル分の貯溜水が排水管３４６から流れ出たときに元の位置に復帰し、大便用排水弁３４５を閉弁する。大便用排水弁３４５の閉弁により、第一アーム３３４は、鎖３３５ｂによって下方に引っ張られて、大洗浄用ボタン３３０の操作前の水平状態に戻る。  
【００７８】
この結果、内装タンク３１４内の水位は、大洗浄用ボタン３３０の操作により、内装タンク３１４内に２リットルの貯溜水が溜まっているときの水位（以下、大洗浄後水位ＤＷＬ１という）まで下降する。つまり、タンク容量である６リットルの貯溜水のうちの２リットルの貯溜水は、排水管３４６から流れ出ることなく、内装タンク３１４内に残留する。このように、洗浄タンク内の貯溜水のうち、一回のハンドル操作後に便器に排水されず、洗浄タンク内に残る水を、以下、残留水という。  
【００７９】
一方、内装タンク３１４内に基準水位の高さまで貯溜水が溜まっている状態で小洗浄用ボタン３２９が操作されると、小洗浄用ボタン３２９の下方向への移動に伴って第二移動体３３１が下方向に移動し、第二移動体３３１の先端が第二アーム３３３の片端部３３３ｂに当接して、片端部３３３ｂを押し下げる。これにより、第二アーム３３３がピン３３７を中心として約７０°回転し、この回転により、第二アーム３３３が鎖３３５ａを介して小便用排水弁３４４を引き上げる。これにより小便用排水弁３４４が開弁し、小便用排水弁３４４で覆われていた円筒形状の大便用排水弁３４５の頂部に、内装タンク３１４内の貯溜水が流入する。  
【００８０】
小便用排水弁３４４を支持する支持軸３６０は、タンク容量である６リットルの貯溜水のうちの３リットルの貯溜水が排水管３４６から排出されるまでの間、小便用排水弁３４４を引き上げた状態，即ち開弁状態に保つように構成されている。従って、小洗浄の操作がされた場合には、常に、３リットルという一定の量の貯溜水が、大便用排水弁３４５の中空部を通じて排水管３４６に流入する。即ち、支持軸３６０は、排水管３４６への貯溜水の流入が開始された後、元の位置である下方に向かって徐々に移動し、これに伴って小便用排水弁３４４も閉弁方向に移動し、３リットル分の貯溜水が大便用排水弁３４５の頂部から排水管３４６に向かって流れ出たときに元の位置に復帰し、小便用排水弁３４４を閉弁する。小便用排水弁３４４の閉弁により、第二アーム３３３は、鎖３３５ａによって下方に引っ張られて、小洗浄用ボタン３２９の操作前の水平状態に戻る。  
【００８１】
この結果、内装タンク３１４内の水位は、小洗浄用ボタン３２９の操作により、内装タンク３１４内に３リットルの貯溜水が溜まっているときの水位（以下、小洗浄後水位ＤＷＬ２という）まで下降する。つまり、タンク容量である６リットルの貯溜水のうちの３リットルの貯溜水は、排水管３４６から流れ出ることなく、内装タンク３１４内に残溜水として残留する。  
【００８２】
このように内装タンク３１４内の貯溜水が排水管３４６に流入することにより、内装タンク３１４内の基準水位ＷＬは、大洗浄後水位ＤＷＬ１、小洗浄後水位ＤＷＬ２まで低下する。この水位の低下に伴って浮子３２２が下降し、浮子３２２が所定の位置まで下降したときに、アーム３５０によって開閉弁３１９が開かれる。これにより、止水栓から給水された水が、導水管３２７を通過し、第一吐水口３２１から内装タンク３１４の底部に向かって吐出されるとともに、第二吐水口３２３からオーバーフロー管３４０に吐出される。  
【００８３】
第一吐水口３２１から吐出された水は、大便用排水弁３４５，小便用排水弁３４４が閉じていることを前提として、内装タンク３１４内に溜まっていく。また、第二吐水口３２３から吐出された水は、オーバーフロー管３４０，排水管３４６を通り、大便用排水弁３４５の開閉状態に拘わらず、便器１０の洗浄水給水孔４０に排水される（以下、この水を補給水という）。この後、内装タンク３１４内の貯溜水の水位が洗浄開始前の元の水位である基準水位ＷＬまで上昇したときに、浮子３２２がアーム３５０を介して開閉弁３１９を閉じる。この閉弁により、第一吐水口３２１および第二吐水口３２３からの水の吐出が停止される。つまり、第一吐水口３２１からは、開閉弁３１９が開いてから閉じるまでの間に、洗浄開始後に洗浄水給水孔４０に排水された貯溜水の量とほぼ同量の水（大洗浄の場合には約４リットルの水、小洗浄の場合には約３リットルの水）が吐出される。  
【００８４】
次に、便器１０の洗浄水給水孔４０に排水された貯溜水および補給水により、ボール２０部内の汚物や汚水が排出され、便器１０が洗浄前の元の状態に回復される様子について説明する。なお、「汚水」とは、大便や小便等の汚物や紙などが混ざることによって汚れた水をいう。  
【００８５】
洗浄タンク３１０内の高い水位からの自由落下により洗浄水給水孔４０に供給された洗浄水は、洗浄水給水路４１の斜め下向きの傾斜に案内されて滞留部４１ａに流入する。この流入により、滞留部４１ａ内の水位は、ボール部２０内の水位よりも上昇し、この水位の上昇に伴い、滞留部４１ａの下部およびゼット給水路４６内に溜まっていた溜水（以下、この溜水のことをゼット溜水という）が、ボール部２０内のゼット噴出孔２２方向に流動する。この結果、ゼット噴出孔２２からは、ゼット溜水、滞留部４１ａに流入した洗浄水が、順次に噴出される。  
【００８６】
ゼット噴出孔２２からの洗浄水は、排出口２５に向かって噴出される。このため、接続路３１および上昇路３２内の溜水ＲＷや凹部２６に溜まった汚物は、堰３４の方向に押し上げられる。この結果、上昇路３２内における水位は基準溜水位ＰＬを越えて急激に上昇し、接続路３１，上昇路３２および屈曲部３５がすぐに満水状態となり、屈曲部３５に充満した水の先端とボール部２０内の溜水ＲＷの表面との間に水位差が生じる。この水位差により、下降路３３内とボール部２０との間に圧力差が生じ、下方向への引き込み力が発生する。このような作用を、以下、サイホン作用という。このサイホン作用により、ボール部２０内の汚物が汚れた溜水ＲＷや洗浄水と共に、堰３４の方向に引き込まれる。  
【００８７】
ゼット噴出孔２２は、洗浄後暫くの間は、ボール部２０に溜まった溜水ＲＷ内に水没した状態とされ、このゼット噴出孔２２と連通するゼット給水路４６内は、滞留部４１ａに流入した洗浄水により満水状態が維持される。一方、洗浄水給水路４１には、自由落下により付勢された多量の貯溜水が、洗浄タンク３１０から一気に供給される。このため、単位時間当たりの滞留部４１ａへの洗浄水の流入量が、単位時間当たりのゼット噴出孔２２からの噴出量よりも多くなる。この結果、洗浄タンク３１０から供給された洗浄水は滞留部４１ａに溜まっていき、滞留部４１ａないし洗浄水給水路４１内の水位が上昇する。  
【００８８】
この水位は、やがて分岐孔４２を越える高さにまで上昇し、この水位の上昇により、便器１０の前側方向に付勢された洗浄水が分岐孔４２に流入する。分岐孔４２に流入した洗浄水は、左右のリム給水路４３に供給され、水出し孔４４の開孔径や洗浄水の付勢力に対応して分配されて、各孔４４ａ〜ｅから吐出される。  
【００８９】
このとき、分岐孔４２に近い位置である右側後方のリム部２１の裏側に形成された長孔４４ｄからは、付勢力の大きな水が、便器の前方のやや左側の乾燥面２４に向けて多量に吐出される。また、便器１０前方のやや右側の位置に形成された長孔４４ｅからは、リム給水路４３を右回りに流れてきた洗浄水が、便器１０左後方の乾燥面２４に向けて多量に吐出される。この長孔４４ｄ，４４ｅから吐出された洗浄水が主流となって、水出し孔４４から吐出される洗浄水に時計廻り方向への旋回力が付与される。  
【００９０】
このように旋回力が付与された洗浄水は、便器１０の乾燥面２４の表面に沿って流下し、ボール部２０内の溜水ＲＷに合流する。この合流により、洗浄水の旋回力は、ボール部２０内の溜水ＲＷに伝達される。これにより、ボール部２０内の水に右回りの旋回流が生じる。この結果、ボール部２０内の汚物は、旋回流の渦に巻き込まれて凹部２６に集められ、排出口２５に向かう。  
【００９１】
水出し孔４４からの吐出により増量されたボール部２０内の溜水ＲＷは、既に発生しているサイホン作用により、排水路３０の方向に引き込まれる。従って、ボール部２０内の水位は、水出し孔４４からの洗浄水の吐出の前と比べて、さほど上昇しない。一方、ゼット噴出孔２２からは、水出し孔４４から洗浄水が吐出されている間も、継続して洗浄水が噴出されることに加え、この噴出により堰３４から溢れ出て下降路３３を流下した水は、排水ソケット６０による滞留作用により、排水立ち上げ管９０方向への落下が抑止される。従って、接続路３１，上昇路３２および屈曲部３５は、サイホン作用の発生後も満水状態に維持される。  
【００９２】
このように、水出し孔４４からの洗浄水の吐出とゼット噴出孔２２からの洗浄水の供給により、サイホン作用が継続して発生し、この継続的な発生により、ボール部２０内の汚水および汚物を、確実に堰３４を越える位置まで引き込むことができる。  
【００９３】
汚水および汚物は、サイホン作用により、強い力で下降路３３に引き込まれ、排水ソケット６０内に進入し、排水ソケット６０内を通過して排水立ち上げ管９０に進入する。  
【００９４】
洗浄開始前に溜まっていた溜水ＲＷが堰３４を越える位置に引き込まれた後、サイホン作用の持続が終了したとき、ボール部２０，排水路３０およびゼット給水路４６内には、ほぼ排出口２５の上端を通る水平線の高さまで水が溜まっている。この水のことを、以下、残り水といい、この残り水の水位を、以下、残水位ＤＰＬという。残り水の量は、大洗浄または小洗浄のいずれの場合にも、ほぼ同量である。従って、残水位ＤＰＬの高さは、大洗浄、小洗浄の別を問わず、ほぼ等しくなる。  
【００９５】
サイホン作用の持続が終了した時点では、小便用排水弁３４４や大便用排水弁３４５は既に閉弁されているため、内装タンク３１４の貯溜水を便器１０に排水することはできない。従って、第二吐水口３２３から吐出される補給水が、オーバーフロー管３４０を通じて便器１０に排水され、残り水の溜まったボール部２０に供給される。この結果、ボール部２０内および排水路３０内の水位は、徐々に上昇する。  
【００９６】
洗浄タンク３１０からの補給水の排水が終了すると、満水状態であった洗浄水給水路４１および滞留部４１ａの水位が徐々に低下し、水出し孔４４からの洗浄水の吐出，ゼット噴出孔２２からの洗浄水の噴出が、順次に停止する。この後、溜水ＲＷの水位は、ボール部２０，滞留部４１ａおよび上昇路３２において均一となり、洗浄開始前と同様の、堰３４の高さである基準溜水位ＰＬの高さまで上昇する。これにより、一洗浄動作における便器１０の洗浄が完了する。  
【００９７】
第１実施例では、大洗浄、小洗浄のいずれの場合にも、便器１０の溜水ＲＷの水位がちょうど基準溜水位ＰＬの高さまで上昇したときにボール部２０への水の供給が停止されるように、第一吐水口３２１および第二吐水口３２３から吐水される態様を制御する。この制御を実現するための構成につき、図４から図１０までを参照しつつ、以下に説明する。図４は、ボールタップ３２０に設けられた流量調節機構３８０の様子を示す説明図である。図４に示すように、ボールタップ３２０の導水管３２７の第一吐水口３２１と第二吐水口３２３との間には、流量調節機構３８０が設けられている。流量調節機構３８０は、底面のない直方体形状の筐体３８２と、この筐体３８２内に収納された切換弁３８４とを備える。  
【００９８】
切換弁３８４の構成を図５に示す。図５に示すように、切換弁３８４は、導水管３２７内の水の流路の断面積を調節するための弁体３８４ａと、弁体３８４ａと一体として形成された第一羽部３８４ｂおよび第二羽部３８４ｃを備える。この第一羽部３８４ｂと第二羽部３８４ｃは、ほぼ同一の軌跡線上に位置するように形成されている。第一羽部３８４ｂ，第二羽部３８４ｃは、筐体３８２の対向する側面に設けられた２つの開口部から、それぞれ筐体３８２の外部に露出している（図４を参照）。  
【００９９】
図５に示すように、切換弁３８４の弁体３８４ａには、後述する軸体３８６を貫通するための孔である軸孔３８４ｋと、導水管３２７内における水を流通するための孔である流通孔３８４ｊが設けられている。流通孔３８４ｊは、弁体３８４ａの縦方向の中心線Ｙ−Ｙに対して、非対称の形状に形成されている。  
【０１００】
流量調節機構３８０の断面構成を図６に示す。図６に示すように、筐体３８２には、導水管３２７を貫通するための筒部３８２ａ，筒部３８２ｂが形成されている。導水管３２７は、切換弁３８４を境に２つに分断されており、上流側が導水管３２７ａと，下流側が導水管３２７ｂとされている。導水管３２７ａ，導水管３２７ｂは、それぞれ筒部３８２ａ，筒部３８２ｂに差し込まれるとともに、導水管３２７ａ，導水管３２７ｂの外周面は、それぞれ筒部３８２ａ，筒部３８２ｂの内面に固着される。これにより、切換弁３８４は、導水管３２７ａと導水管３２７ｂとの間に緩く挟み込まれた状態となっている。また、切換弁３８４と接する部分における導水管３２７ａおよび導水管３２７ｂの流路断面積は、後述する流通孔３８４ｊの大きさに合わせて絞られている。  
【０１０１】
図６に示すように、切換弁３８４の弁体３８４ａは、導水管３２７の流路よりも大きな断面積に形成されている。この弁体３８４ａの軸孔３８４ｋには、軸体３８６が挿入されている。この軸体３８６は、筒形の外軸３８６ｂと、この外軸３８６ｂの筒内を貫通する棒状の内軸３８６ａから構成される。内軸３８６ａは、筐体３８２の内幅よりも若干長い長さで形成されており、筐体３８２に嵌め込まれることにより、筐体３８２に固定される。  
【０１０２】
内軸３８６ａが挿入された外軸３８６ｂの外周面は、軸孔３８４ｋに固着される。これにより、弁体３８４ａは、内軸３８６ａを回転軸として、外軸３８６ｂと共に回転可能となる。また、内軸３８６ａの外周面と外軸３８６ｂの内周面とは、所定の摩擦を持って嵌合されている。このため、弁体３８４ａは、一定以上の負荷を与えられることを条件として回転し、回転後においては、一定以上の負荷を与えられるまで同一の姿勢を保持する。  
【０１０３】
このように構成された流量調節機構３８０が動作する様子を、図７ないし図１０を参照しつつ説明する。図７は、大洗浄用ボタン３３０の操作に伴って流量調節機構３８０が動作する様子を示す説明図である。大洗浄用ボタン３３０が操作されると、第一移動体３３２が下方向に移動して第一アーム３３４の片端部３３４ｂを押し下げることにより、第一アーム３３４がピン３３７を中心として約４５°回転する。この第一アーム３３４の回転により、大便用排水弁３４５が引き上げられるとともに、第一羽部３８４ｂが押し上げられる。  
【０１０４】
即ち、第一アーム３３４が回転する途中において、第一アーム３３４の他端部３３４ｃに形成された突出部３３４ｄは、第一羽部３８４ｂに当接し、第一アーム３３４の回転軌跡に沿って第一羽部３８４ｂを上方向に押し上げる。このように第一羽部３８４ｂが押し上げられることにより、第一羽部３８４ｂと一体に形成された弁体３８４ａは、軸体３８６を中心として、オーバーフロー管３４０側から見て時計回り方向に回転し、この回転により、弁体３８４ａと一体に形成された第二羽部３８４ｃは下方の位置に移動する。このような第一移動体３３２、第一アーム３３４、第一羽部３８４ｂ、第二羽部３８４ｃの一連の動きに関し、図７では、大洗浄用ボタン３３０の操作前の状態を二点鎖線で、大洗浄用ボタン３３０の操作後の状態を実線で、それぞれ示している。なお、回転後の第一羽部３８４ｂ、弁体３８４ａおよび第二羽部３８４ｃは、大洗浄用ボタン３３０を離した後においても、前述した内軸３８６ａの外周面と外軸３８６ｂの内周面との間の摩擦力によって、回転後の状態が維持される。  
【０１０５】
このように弁体３８４ａが回転することにより、導水管３２７ａ，導水管３２７ｂと流通孔３８４ｊとの位置関係が変化する。図８は、大洗浄用ボタン３３０の操作後における、導水管３２７ａ，導水管３２７ｂと流通孔３８４ｊとの位置関係を示す説明図である。この図８は、オーバーフロー管３４０側から見たときの切換弁３８４の様子を示している。このため、図８では、切換弁３８４裏側の導水管３２７ａを点線を用いて表している。  
【０１０６】
図８に示すように、大洗浄用ボタン３３０の操作に伴う弁体３８４ａの回転により、流通孔３８４ｊは導水管３２７ａの一部と重なっており、導水管３２７ａと流通孔３８４ｊとが重なり合う部分（図８において網線で示した部分）の面積は小さくなっている。このため、導水管３２７ａから流れてきた水は、流通孔３８４ｊを通過しにくくなり、導水管３２７ｂに導水される単位時間当たりの水量は少なくなる。この結果、第二吐水口３２３から単位時間当たりに吐出される水の量が少なくなる。  
【０１０７】
一方、流通孔３８４ｊを通過できなかった水は、弁体３８４ａに衝突して導水管３２７ａ側に押し戻される。このため、第一吐水口３２１から単位時間当たりに吐出される水の量は、流通孔３８４ｊが導水管３２７ａの全部と重なる場合と比べて多くなる。  
【０１０８】
このように大洗浄用ボタン３３０の操作後に小洗浄用ボタン３２９が操作された場合に、流量調節機構３８０が動作する様子を図９に示す。小洗浄用ボタン３２９が操作されると、第二移動体３３１が下方向に移動して第二アーム３３３の片端部３３３ｂを押し下げることにより、第二アーム３３３がピン３３６（図示せず）を中心として約４５°回転する。この第二アーム３３３の回転により、小便用排水弁３４４が引き上げられるとともに、第二羽部３８４ｃが押し上げられる。  
【０１０９】
即ち、第二アーム３３３が回転する途中において、第二アーム３３３の他端部３３３ｃに形成された突出部３３３ｄは、第二羽部３８４ｃに当接し、第二アーム３３３の回転軌跡に沿って第二羽部３８４ｃを上方向に押し上げる。このように第二羽部３８４ｃが押し上げられることにより、第二羽部３８４ｃと一体に形成された弁体３８４ａは、軸体３８６を中心として、オーバーフロー管３４０側から見て反時計回り方向に回転し、この回転により、弁体３８４ａと一体に形成された第一羽部３８４ｂは下方の位置に移動する。このような第二移動体３３１、第二アーム３３３、第一羽部３８４ｂ、第二羽部３８４ｃの一連の動きに関し、図９では、小洗浄用ボタン３２９の操作前の状態を二点鎖線で、小洗浄用ボタン３２９の操作後の状態を実線で、それぞれ示している。なお、回転後の第一羽部３８４ｂ、弁体３８４ａおよび第二羽部３８４ｃは、小洗浄用ボタン３２９を離した後においても、前述した内軸３８６ａの外周面と外軸３８６ｂの内周面との間の摩擦力によって、回転後の状態が維持される。  
【０１１０】
このように弁体３８４ａの回転により、導水管３２７ａ，導水管３２７ｂと流通孔３８４ｊとの位置関係は、図８に示した状態から変化する。変化した位置関係を図１０に示した。この図１０は、図８と同様に、オーバーフロー管３４０側から見たときの切換弁３８４の様子を示しており、切換弁３８４裏側の導水管３２７ａについては点線を用いて表している。  
【０１１１】
図１０に示すように、小洗浄用ボタン３２９の操作に伴う弁体３８４ａの回転により、流通孔３８４ｊは導水管３２７ａの全部と重なっており、導水管３２７ａと流通孔３８４ｊとが重なり合う部分（図１０において網線で示した部分）の面積は最大となっている。このため、導水管３２７ａから流れてきた水は、流通孔３８４ｊを通過し易くなり、導水管３２７ｂに導水される単位時間当たりの水量は多くなる。この結果、第二吐水口３２３から単位時間当たりに吐出される水の量が多くなる。  
【０１１２】
一方、導水管３２７ａから流れてきた水は、弁体３８４ａに衝突することなく、スムーズに導水管３２７ｂに導かれる。このため、第一吐水口３２１から単位時間当たりに吐出される水の量は、流通孔３８４ｊが導水管３２７ａの一部と重なる場合と比べて少なくなる。  
【０１１３】
このように、ボールタップ３２０に流量調節機構３８０を設けることにより、第二吐水口３２３から単位時間当たりに吐出される水の量を、大洗浄，小洗浄という各洗浄形態ごとに異ならせることが可能となる。また、第一吐水口３２１と第二吐水口３２３とは、導水管３２７内の流路において連通しているので、第二吐水口３２３からの単位時間当たりの吐水量の変化に伴って、第一吐水口３２１からの単位時間当たりの吐水量も変化する。従って、第一吐水口３２１から単位時間当たりに吐出される水の量についても、大洗浄，小洗浄という各洗浄形態ごとに異ならせることができる。  
【０１１４】
上記の流量調節機構３８０を用いれば、便器１０に補給水が供給される態様や内装タンク３１４に貯溜水が貯溜される態様を、大洗浄，小洗浄という洗浄方式ごとに制御することが可能である。第１実施例では、便器１０に供給される補給水と内装タンク３１４に貯溜される貯溜水との配分を変更し、これにより、便器１０に補給水が供給される態様および内装タンク３１４に貯溜水が貯溜される態様を制御する。この制御の内容を図１１を参照しつつ説明する。図１１は、第１実施例の便器１０の洗浄後において、便器１０に補給水が供給される態様および内装タンク３１４に貯溜水が貯溜される態様が変化する様子を示すグラフである。  
【０１１５】
図１１の上側のグラフは、便器１０の洗浄後における、内装タンク３１４内の貯溜水および便器１０内の溜水ＲＷの水量ｑの経時的な変化を示し、下側のグラフは、便器１０の洗浄後における、第一吐水口３２１および第二吐水口３２３から単位時間当たりに吐出される水の量の経時的な変化を示す。図１１の上側のグラフにおいては、小洗浄の場合における貯溜水，溜水ＲＷの変化を、それぞれ実線ＳＴ，実線ＳＣで、大洗浄の場合における貯溜水，溜水ＲＷの変化を、それぞれ一点鎖線ＢＴ，破線ＢＣで示している。また、図１１の下側のグラフにおいては、上側のグラフの線種に対応し、小洗浄の際に第一吐水口３２１から単位時間当たりに吐出される水の量（以下、小洗浄時の第一瞬間吐出量Ｓ１という）および小洗浄の際に第二吐水口３２３から単位時間当たりに吐出される水の量（以下、小洗浄時の第二瞬間吐出量Ｓ２という）を実線Ｓ１および実線Ｓ２で、大洗浄の際に第一吐水口３２１から単位時間当たりに吐出される水の量（以下、大洗浄時の第一瞬間吐出量Ｂ１という）を一点鎖線Ｂ１で、大洗浄の際に第二吐水口３２３から単位時間当たりに吐出される水の量（以下、大洗浄時の第二瞬間吐出量Ｂ２という）を破線Ｂ２で、それぞれ示している。  
【０１１６】
上側のグラフに示すように、内装タンク３１４内に水量ｑ２分溜まっていた貯溜水は、洗浄開始後に便器１０への貯溜水の排水によって減少し、小洗浄の場合には３リットル分の水が排出された時（時間ｔ１の経過時）以後に、大洗浄の場合には、４リットル分の水が排出された時（時間ｔ２の経過時）以後に、第一吐水口３２１からの水の吐出によって増加する。一方、第一吐水口３２１からの水の吐出状態を下側のグラフで見てみると、大洗浄時の第一瞬間吐出量Ｂ１は、小洗浄時の第一瞬間吐出量Ｓ１よりも多く設定されている。このため、上側のグラフにおいて、時間ｔ２の経過時以後における一点鎖線ＢＴの傾きは、時間ｔ１の経過時以後における実線ＳＴよりも大きくなっている。これにより、内装タンク３１４内の水量ｑは、小洗浄の場合には時間ｔ５の経過時に、大洗浄の場合には時間ｔ６の経過時に、水量ｑ２まで回復する。  
【０１１７】
一方、便器１０内に水量ｑ１分溜まっていた溜水ＲＷは、洗浄開始後に便器１０内に内装タンク３１４からの貯溜水が供給されるにも拘わらず、若干増加する程度に止まる。これは、サイホン作用の発生により、供給された貯溜水が堰３４を越えて下降路３３に引き込まれてしまうことに起因する。溜水ＲＷの水量ｑは、サイホン作用の終了時（小洗浄の場合には時間ｔ３の経過時、大洗浄の場合には時間ｔ４の経過時）に最も少量となり、これ以後に、第二吐水口３２３からの水の吐出によって増加する。一方、第二吐水口３２３からの水の吐出状態を下側のグラフで見てみると、大洗浄時の第二瞬間吐出量Ｂ２は、小洗浄時の第二瞬間吐出量Ｓ２よりも少なく設定されている。このため、上側のグラフにおいて、時間ｔ４の経過時以後における破線ＢＣの傾きは、時間ｔ３の経過時以後における実線ＳＣよりも小さくなっている。これにより、便器１０内の溜水ＲＷの水量ｑは、小洗浄の場合には時間ｔ５の経過時に、大洗浄の場合には時間ｔ６の経過時に、水量ｑ１まで回復する。つまり、第１実施例では、大洗浄，小洗浄のいずれの場合にも、内装タンク３１４内の貯溜水が元の水量ｑ２に回復したとほぼ同時に、便器１０内の溜水ＲＷを元の水量ｑ１まで回復するのである。  
【０１１８】
このように貯溜水および溜水ＲＷが洗浄開始前の状態に回復されるまでの様子を、図１２ないし図１６を参照しつつ説明する。図１２は、小洗浄用ボタン３２９の操作後に、内装タンク３１４内の貯溜水の水位が小洗浄後水位ＤＷＬ２まで低下したときの内装タンク３１４内および便器１０内の水の状態を示す。なお、図１２ないし図１６においては、ボールタップ３２０の洗浄タンク３１０への装着位置を、説明の便宜上、図３とは異なる位置に表わしている。  
【０１１９】
図１２に点模様で示すように、内装タンク３１４内には、小洗浄後水位ＤＷＬ２の高さに３リットルの残留水が溜まっている。一方、この時点において、便器１０内ではサイホン作用が発生しており、ボール部２０や排水路３０内には、洗浄開始前に溜まっていた溜水ＲＷや洗浄タンク３１０から排水された貯溜水が充満している。この溜水ＲＷや貯溜水を、図１２において、左下がりの斜線で示す。  
【０１２０】
図１２に示す状態の後、浮子３２２の作用により開閉弁３１９が開き、ボールタップ３２０への給水が開始される。ボールタップ３２０内に給水された水は、導水管３２７ａ内を通って第一吐水口３２１から吐出されるとともに、流量調節機構３８０を通過し、第一吐水口３２１とほぼ同じ口径の第二吐水口３２３から吐出される。このとき、流量調節機構３８０の流通孔３８４ｊは導水管３２７ａの全部と重なっている。このため、第一吐水口３２１、第二吐水口３２３から吐水される水の吐水状態は、以下のようになる。即ち、第一吐水口３２１から吐出される水と第二吐水口３２３から吐出される水との配分は、単位時間当たりにおいて、ほぼ１：１という割合となり、小洗浄時の第二瞬間吐出量Ｓ２は、小洗浄時の第一瞬間吐出量Ｓ１とほぼ等しくなる。  
【０１２１】
第一吐水口３２１から吐出された水は、内装タンク３１４内に貯溜水として貯溜され、第二吐水口３２３から吐出された水は、オーバーフロー管３４０を通じ、補給水として便器１０に供給される。従って、内装タンク３１４内に貯溜される水とオーバーフロー管３４０を通じて便器１０に供給される補給水との配分は、単位時間当たりにおいて、第一吐水口３２１から吐出される水と第二吐水口３２３から吐出される水との配分と同様に、ほぼ１：１という割合となる。また、便器１０に補給水が供給される態様や内装タンク３１４に貯溜水が貯溜される態様は、以下のようになる。即ち、内装タンク３１４には、単位時間当たりに小洗浄時の第一瞬間吐出量Ｓ１分の水が貯溜され、便器１０には、単位時間当たりに小洗浄時の第二瞬間吐出量Ｓ２分の水が供給される。つまり、単位時間当たりに内装タンク３１４内に溜まる貯溜水の量は、単位時間当たりにオーバーフロー管３４０を通じて便器１０に供給される補給水の量とほぼ等しくなる。  
【０１２２】
第一吐水口３２１および第二吐水口３２３からの水の吐出は、内装タンク３１４内の貯溜水の水位が小洗浄後水位ＤＷＬ２から基準水位ＷＬに達するまでの間、即ち、小洗浄の実行により便器１０に排水された３リットルの貯溜水分の水が第一吐水口３２１から吐出されて内装タンク３１４内に溜まるまでの間、継続して行なわれる。  
【０１２３】
内装タンク３１４内の貯溜水の水位が基準水位ＷＬに達する前に、便器１０内において生じていたサイホン作用が終了する。このサイホン作用が終了した時点における内装タンク３１４内および便器１０内の水の状態を、図１３に示す。図１３に示すように、ボール部２０や排水路３０内に充満していた溜水ＲＷおよび貯溜水や、これまでに便器１０に供給された補給水は、ほとんどがサイホン作用によって既に排水立ち上げ管９０に引き込まれており、便器１０内には、残り水が残水位ＤＰＬの高さまで溜まっている。一方、内装タンク３１４内の貯溜水の水位は、基準水位ＷＬよりもやや低い水位ＲＷＬ１まで回復している（以下、この水位を回復水位ＲＷＬ１という）。なお、図１３においては、第一吐水口３２１から吐水された水を右下がりの斜線で、第二吐水口３２３からから吐水された水を波線で、それぞれ示している。また、残り水を左下がりの斜線および波線の双方で示すのは、残り水には、洗浄指示に基づいて内装タンク３１４から便器１０に排水された貯溜水と洗浄開始後に便器１０に供給された補給水とが混在しているからである。  
【０１２４】
図１３に示す状態の後も、第一吐水口３２１および第二吐水口３２３からの吐水は継続され、内装タンク３１４内の貯溜水の水位が基準水位ＷＬまで上昇したときに、浮子３２２の作用により開閉弁３１９が閉じ、ボールタップ３２０への給水が停止される。これにより第一吐水口３２１および第二吐水口３２３からの吐水が終了する。第一吐水口３２１および第二吐水口３２３からの吐水が終了したときの内装タンク３１４内および便器１０内の水の状態を、図１４に示す。この図において、残水位ＤＰＬよりも上の波線部分は、サイホン作用の終了後に、第二吐水口３２３からオーバーフロー管３４０を通じて便器１０に供給された補給水を示す。この図に示すように、便器１０内の水は、内装タンク３１４内の貯溜水の水位が基準水位ＷＬまで達したときに、ちょうど基準溜水位ＰＬに達する。従って、便器１０内の溜水ＲＷは、堰３４からのこぼし水を生じさせることなく、洗浄開始前の状態に回復される。  
【０１２５】
一方、大洗浄用ボタン３３０が操作された場合には、内装タンク３１４内の貯溜水の水位は、大洗浄後水位ＤＷＬ１まで大きく低下する。このときの内装タンク３１４内および便器１０内の水の状態を、図１５に示す。図１５に点模様で示すように、内装タンク３１４内には、大洗浄後水位ＤＷＬ１の高さに２リットルの残留水が溜まっている。一方、便器１０内には、サイホン作用の発生により、洗浄開始前に溜まっていた溜水ＲＷや洗浄タンク３１０から排水された貯溜水が充満している。この溜水ＲＷや貯溜水を、図１５において、左下がりの斜線で示す。  
【０１２６】
図１４に示す状態の後、浮子３２２の作用により開閉弁３１９が開き、ボールタップ３２０への給水が開始される。ボールタップ３２０内に給水された水は、導水管３２７ａ内を通って第一吐水口３２１から吐出されるとともに、流量調節機構３８０を通過し、第一吐水口３２１とほぼ同じ口径の第二吐水口３２３から吐出される。  
【０１２７】
このとき、流量調節機構３８０の流通孔３８４ｊは、導水管３２７ａの一部と重なる状態となっている。このため、第一吐水口３２１、第二吐水口３２３から吐水される水の吐水状態は、以下のようになる。即ち、導水管３２７ａからの水が流通孔３８４ｊを通過しにくくなるため、第一吐水口３２１から吐出される水と第二吐水口３２３から吐出される水との配分は、単位時間当たりにおいて、第二吐水口３２３の方が第一吐水口３２１よりも少なくなるような配分となり、大洗浄時の第二瞬間吐出量Ｂ２は、大洗浄時の第一瞬間吐出量Ｂ１よりも少なくなる。また、流通孔３８４ｊを通過できなかった分の水は、第一吐水口３２１から吐出されるので、大洗浄時の第一瞬間吐出量Ｂ１は、小洗浄時の第一瞬間吐出量Ｓ１よりも多くなる。  
【０１２８】
第一吐水口３２１から吐出された水は、内装タンク３１４内に貯溜水として貯溜され、第二吐水口３２３から吐出された水は、補給水として便器１０に供給される。従って、内装タンク３１４内に貯溜される水とオーバーフロー管３４０を通じて便器１０に供給される補給水との配分は、単位時間当たりにおいて、第一吐水口３２１から吐出される水と第二吐水口３２３から吐出される水との配分と同様の割合となる。また、便器１０に補給水が供給される態様や内装タンク３１４に貯溜水が貯溜される態様は、以下のようになる。即ち、内装タンク３１４には、単位時間当たりに、小洗浄時の第一瞬間吐出量Ｓ１よりも少ない大洗浄時の第二瞬間吐出量Ｂ１分の水が貯溜され、便器１０には、単位時間当たりに、小洗浄時の第二瞬間吐出量Ｓ２よりも多い大洗浄時の第二瞬間吐出量Ｂ２分の水が供給される。  
【０１２９】
図１５に示した状態から、上記のような配分で第一吐水口３２１および第二吐水口３２３から水を吐出し続けた場合、サイホン作用が終了した時点における内装タンク３１４内および便器１０内は、図１６に示すような状態となる。図１６に示すように、便器１０内には、残り水が残水位ＤＰＬの高さまで溜まっている。一方、内装タンク３１４内の貯溜水の水位は、図１３に示した回復水位ＲＷＬ１よりもやや低い水位ＲＷＬ４にまで回復している（以下、この水位を回復水位ＲＷＬ４という）。  
【０１３０】
第１実施例では、大洗浄時の第一瞬間吐出量Ｂ１と大洗浄時の第二瞬間吐出量Ｂ２との比率を、以下のように定める。即ち、基準水位ＷＬから回復水位ＲＷＬ４までの容積と基準溜水位ＰＬから残水位ＤＰＬまでの容積との比率を、大洗浄時の第一瞬間吐出量Ｂ１と大洗浄時の第二瞬間吐出量Ｂ２との比率とする。このような比率とすることにより、回復水位ＲＷＬ４から基準水位ＷＬに到達するまでの期間内に第二吐水口３２３から吐出される水の総量は、基準溜水位ＰＬから残水位ＤＰＬまでの容量と、ほぼ等しくなる。  
【０１３１】
この結果、内装タンク３１４内の貯溜水の水位が基準水位ＷＬまで上昇し、第一吐水口３２１および第二吐水口３２３からの吐水が終了したときには、内装タンク３１４内および便器１０内の水の状態は、図１４に示した小洗浄の場合と同じ状態となる。即ち、便器１０内の水は、内装タンク３１４内の貯溜水の水位が基準水位ＷＬまで達したときに、ちょうど基準溜水位ＰＬに達する。つまり、大洗浄，小洗浄という便器への排水量を異にするいずれの洗浄形式の場合にも、便器１０内の溜水ＲＷは、内装タンク３１４内の貯溜水の回復と同期して回復される。  
【０１３２】
以上説明したように、第１実施例の洗浄タンク３１０を備えたサイホンゼット式便器１０は、流量調節機構３８０を設けることにより、第一吐水口３２１から吐出される水と第二吐水口３２３から吐出される水との配分を、大洗浄と小洗浄との間で変更する。従って、内装タンク３１４内の貯溜水を基準水位ＷＬに回復させるタイミングや、便器１０内の溜水ＲＷを回復させるタイミングを、大洗浄の場合と小洗浄の場合とで異ならせることができる。  
【０１３３】
また、第１実施例では、大洗浄、小洗浄の場合における第一吐水口３２１から吐出される水と第二吐水口３２３から吐出される水との配分を、大洗浄時の第二瞬間吐出量Ｂ２の方が小洗浄時の第二瞬間吐出量Ｓ２よりも少なくなるように変更する。従って、内装タンク３１４内の貯溜水を基準水位ＷＬに回復するために第一吐水口３２１から多量の吐水が必要な場合に、便器１０への補給水の過剰な供給を抑制し、便器１０に供給される補給水の量を適正化することができる。例えば、こぼし水の量を減少することにより、節水を図ることが可能となる。  
【０１３４】
更に、第１実施例では、大洗浄時の第二瞬間吐出量Ｂ２を小洗浄時の第二瞬間吐出量Ｓ２よりも少なくすると同時に、大洗浄時の第一瞬間吐出量Ｂ１を小洗浄時の第一瞬間吐出量Ｓ１よりも多くする。従って、内装タンク３１４内の貯溜水を基準水位ＷＬまで早く回復することが可能となる。この結果、大洗浄を行なった後に続けて便器を使用した場合でも、好適な洗浄能力を得ることができる。  
【０１３５】
また、第１実施例では、大洗浄，小洗浄のいずれの場合にも、便器１０内の溜水ＲＷを、内装タンク３１４内の貯溜水の回復と同期して回復する。従って、便器の洗浄後におけるこぼし水の発生や溜水量不足を確実に防止することができる。  
【０１３６】
また、第１実施例の洗浄タンク３１０を備えたサイホンゼット式便器１０は、流量調節機構３８０の流通孔３８４ｊと導水管３２７ａとが重なり合う状態を、小洗浄用ボタン３２９、大洗浄用ボタン３３０の操作に伴って切り換える。従って、第一吐水口３２１から吐出される水と第二吐水口３２３から吐出される水との配分を大洗浄と小洗浄との間で変更するために、複雑な調整を行なう必要がない。つまり、大洗浄用ボタン３３０の操作という便器の洗浄に必要な通常の動作を行なうだけで、第二吐水口３２３からの単位時間当たりの吐出量を少なくし、第一吐水口３２１からの単位時間当たりの吐出量を多くすることが可能となる。また、小洗浄用ボタン３２９および大洗浄用ボタン３３０は、押圧により動作し、押圧をやめたときに元の状態に復帰するように構成されているので、流量調節機構３８０の第一羽部３８４ｂや第二羽部３８４ｃにおける切り換えを確実に行なうことができる。  
【０１３７】
以上説明した第１実施例では、便器１０に補給水が供給される態様および内装タンク３１４に貯溜水が貯溜される態様の双方を、大洗浄と小洗浄との間で異ならせることとしたが、便器１０に補給水が供給される態様のみを大洗浄と小洗浄との間で異ならせることにより、補給水の量の適正化を図ることも可能である。このような構成例を、第２実施例として図１７ないし図２２を参照しつつ説明する。図１７は、本発明の第２実施例である洗浄タンク４１０を備えたサイホンゼット式の便器１１０の縦断面を示す説明図である。図１７に示す便器１１０、洗浄タンク４１０は、前述した第１実施例の便器１０、洗浄タンク３１０とほぼ共通の各部を備える。図１７では、この第１実施例と共通の各部につき、符号の下二桁を第１実施例と同じ数字を用いて表わしている。  
【０１３８】
一方、洗浄タンク４１０は、第一吐水口４２１が形成された第一ボールタップ４２０ａと第二吐水口４２３が形成された第二ボールタップ４２０ｂという２つの給水装置を備える。この第一ボールタップ４２０ａと第二ボールタップ４２０ｂの入口は、止水栓に設けられた分岐金具の２つの出口のそれぞれと接続されている。第一ボールタップ４２０ａ，第二ボールタップ４２０ｂの内部には、それぞれ開閉弁４１９ａ、開閉弁４１９ｂが設けられており、これらの開閉弁４１９ａ，開閉弁４１９ｂは、それぞれ、図示しないアーム４５０ａ，アーム４５０ｂによって浮子４２２と接続されている。  
【０１３９】
また、第二ボールタップ４２０ｂの第二吐水口４２３の手前には、流量調節機構４８０が設けられている。この流量調節機構４８０は、第１実施例における流量調節機構３８０とほぼ同様の構成を採るが、流量調節機構４８０内に収納された切換弁４８４の構成が、第１実施例と若干異なる。即ち、図１８に示すように、切換弁４８４の弁体４８４ａには流通孔４８４ｊが形成されるが、この流通孔４８４ｊは、弁体４８４ａの縦方向の中心線Ｙ−Ｙよりも第二羽部４８４ｃ側の領域においては、第１実施例における流通孔３８４ｊよりも狭い範囲に亘って形成されている。  
【０１４０】
このように構成された洗浄タンク４１０において小洗浄用ボタン４２９が操作されると、内装タンク４１４から、タンク容量である６リットルのうちの３リットル分の貯溜水が便器１１０に排水される。これにより、内装タンク４１４内の水位は、小洗浄後水位ＤＷＬ２の高さまで低下する。この水位の低下に伴って、浮子４２２の作用により開閉弁４１９ａ，開閉弁４１９ｂが開き、第一ボールタップ４２０ａ，第二ボールタップ４２０ｂへの給水が開始される。  
【０１４１】
第一ボールタップ４２０ａ内に給水された水は、導水管４２７ｃ内を通って第一吐水口４２１から吐出される。第二ボールタップ４２０ｂ内に給水された水は、導水管４２７ａ内を通って流量調節機構４８０を通過し、第一吐水口４２１とほぼ同じ口径の第二吐水口４２３から吐出される。このとき、流量調節機構４８０の流通孔４８４ｊと導水管４２７ａとの関係は、図１０に示したと同様の状態となっており、流通孔４８４ｊは導水管４２７ａの全部と重なっている。このため、導水管４２７ａに導かれた水のほとんどが流量調節機構４８０を通過し、第二吐水口４２３に至る。  
【０１４２】
この結果、第一吐水口４２１、第二吐水口４２３から吐水される水の吐水状態は、小洗浄時の第二瞬間吐出量Ｓ２と小洗浄時の第一瞬間吐出量Ｓ１とがほぼ等しい状態となる。また、便器１１０に補給水が供給される態様や内装タンク４１４に貯溜水が貯溜される態様は、以下のようになる。即ち、内装タンク４１４には、単位時間当たりに小洗浄時の第一瞬間吐出量Ｓ１分の水が貯溜され、便器１１０には、単位時間当たりに小洗浄時の第二瞬間吐出量Ｓ２分の水がオーバーフロー管４４０を通じて供給される。つまり、単位時間当たりに内装タンク４１４内に溜まる貯溜水の量は、単位時間当たりにオーバーフロー管４４０を通じて便器１１０に供給される補給水の量とほぼ等しくなる。  
【０１４３】
第一吐水口４２１および第二吐水口４２３からの水の吐出は、内装タンク４１４内の貯溜水の水位が小洗浄後水位ＤＷＬ２から基準水位ＷＬに達するまでの間、即ち、小洗浄の実行により便器１１０に排水された３リットルの貯溜水分の水が第一吐水口４２１から吐出されて内装タンク４１４内に溜まるまでの間、継続して行なわれる。  
【０１４４】
内装タンク３１４内の貯溜水の水位が基準水位ＷＬに達する前に、便器１１０内において生じていたサイホン作用が終了する。このサイホン作用が終了した時点における内装タンク４１４内および便器１１０内の水の状態を、図１９に示す。なお、図１９においては、図１３において示したと同様に、内装タンク４１４から便器１１０に排水された貯溜水を左下がりの斜線で、内装タンク４１４内の残留水を点模様で、第一吐水口４２１から吐水された水を右下がりの斜線で、第二吐水口４２３からから吐水された水を波線で、それぞれ示している。図１９に示した内装タンク４１４内および便器１１０内の水の状態は、第１実施例において図１３に示した状態と、同じ状態となっている。即ち、便器１１０内には、残り水が残水位ＤＰＬの高さまで溜まっている。一方、内装タンク４１４内の貯溜水の水位は、基準水位ＷＬよりもやや低い回復水位ＲＷＬ１まで回復している。  
【０１４５】
図１９に示す状態の後も、第一吐水口４２１および第二吐水口４２３からの吐水は継続され、内装タンク４１４内の貯溜水の水位が基準水位ＷＬまで上昇したときに、浮子４２２の作用により開閉弁４１９ａ，開閉弁４１９ｂが閉じ、第一ボールタップ４２０ａ，第二ボールタップ４２０ｂへの給水が停止される。これにより第一吐水口４２１および第二吐水口４２３からの吐水が終了する。このときの内装タンク４１４内および便器１１０内の水の状態を、図２０に示す。この図において、残水位ＤＰＬよりも上の波線部分は、サイホン作用の終了後に、第二吐水口４２３からオーバーフロー管４４０を通じて便器１１０に供給された補給水を示す。図２０に示すように、便器１１０内の水は、内装タンク４１４内の貯溜水の水位が基準水位ＷＬまで達したときに、ちょうど基準溜水位ＰＬに達する。従って、便器１１０内の溜水ＲＷは、堰１３４からのこぼし水を生じさせることなく、洗浄開始前の状態に回復される。  
【０１４６】
一方、大洗浄用ボタン４３０が操作されると、内装タンク４１４から、タンク容量である６リットルのうちの４リットル分の貯溜水が便器１１０に排水されるため、内装タンク４１４内の水位は、大洗浄後水位ＤＷＬ１の高さまで低下する。この水位の低下に伴って開閉弁４１９ａ，開閉弁４１９ｂが開き、第一ボールタップ４２０ａ，第二ボールタップ４２０ｂへの給水が開始される。  
【０１４７】
第一ボールタップ４２０ａ内に給水された水は、導水管４２７ｃ内を通って第一吐水口４２１から吐出される。このため、第一吐水口４２１から吐水される水の吐水状態は、以下のようになる。即ち、単位時間当たりに第一吐水口４２１から吐出される水量は、小洗浄の場合と変わらず、大洗浄時の第一瞬間吐出量Ｂ１は、小洗浄時の第一瞬間吐出量Ｓ１と同じとなる。従って、内装タンク４１４に貯溜水が貯溜される態様は、以下のようになる。即ち、内装タンク４１４には、単位時間当たりにおいて、小洗浄の場合と同量の水が貯溜される。  
【０１４８】
一方、第二ボールタップ４２０ｂ内に給水された水は、導水管４２７ａ内を通って流量調節機構４８０を通過しようとするが、このとき、流量調節機構４８０の流通孔４８４ｊと導水管４２７ａとの位置関係は、図２１に示すような状態となっている。即ち、流通孔４８４ｊは、導水管４２７ａの約４分の１程度の面積分しか重なっていない。これにより、導水管４２７ａからの水は、第１実施例における大洗浄時よりも更に流通孔４８４ｊを通過しにくくなる。このため、第二吐水口４２３から吐水される水の吐水状態は、大洗浄時の第二瞬間吐出量Ｂ２が、小洗浄時の第二瞬間吐出量Ｓ２よりも少なくなることは勿論のこと、極めて少ない状態となる。従って、便器１１０に補給水が供給される態様は、単位時間当たりにごく少量の水が便器１１０に供給される態様となる。  
【０１４９】
第一吐水口４２１および第二吐水口４２３からの水の吐出は、内装タンク４１４内の貯溜水の水位が大洗浄後水位ＤＷＬ１から基準水位ＷＬに達するまでの間、継続して行なわれる。内装タンク４１４内の貯溜水の水位が基準水位ＷＬに達する前に、便器１１０内において生じていたサイホン作用が終了する。このサイホン作用が終了した時点における内装タンク４１４内および便器１１０内の水の状態を、図２２に示す。なお、図２２における斜線や波線、点模様は、図１８に示したのと同様の内容を表わす。図２２に示すように、便器１１０内には、残り水が残水位ＤＰＬの高さまで溜まっている。一方、内装タンク４１４内の貯溜水の水位は、小洗浄後水位ＤＷＬ２をやや越える程度の回復水位ＲＷＬ５までにしか回復していない。  
【０１５０】
この回復水位ＲＷＬ５は、第１実施例として図１６に示した回復水位ＲＷＬ４よりも更に低い。このため、サイホン作用の終了後に第一吐水口４２１および第二吐水口４２３から吐水がなされる期間は、第１実施例における大洗浄の場合と比較して、より長くなる。一方、第２実施例における大洗浄時の第二瞬間吐出量Ｂ２は、導水管４２７ａと流通孔４８４ｊとの重なり合う面積が更に小さくなることで、第１実施例における大洗浄の場合よりも少なくなっている。  
【０１５１】
第２実施例では、大洗浄時の第二瞬間吐出量Ｂ２の値を、以下のように定める。即ち、基準水位ＷＬから回復水位ＲＷＬ５までの容積を、大洗浄時の第一瞬間吐出量Ｂ１で除算して、回復水位ＲＷＬ５から基準水位ＷＬに達するまでの所要時間ＹＡを求め、基準溜水位ＰＬから残水位ＤＰＬまでの容積を所要時間ＹＡで除算することにより求められた商を大洗浄時の第二瞬間吐出量Ｂ２の値とする。大洗浄時の第二瞬間吐出量Ｂ２をこのような値とすることにより、回復水位ＲＷＬ５から基準水位ＷＬに到達するまでの期間内に第二吐水口４２３から吐出される水の総量は、基準溜水位ＰＬから残水位ＤＰＬまでの容量と、ほぼ等しくなる。  
【０１５２】
この結果、内装タンク４１４内の貯溜水の水位が基準水位ＷＬまで上昇し、第一吐水口４２１および第二吐水口４２３からの吐水が終了したときには、内装タンク４１４内および便器１１０内の水の状態は、図２０に示した小洗浄の場合と同じ状態となる。即ち、便器１１０内の水は、内装タンク４１４内の貯溜水の水位が基準水位ＷＬまで達したときに、ちょうど基準溜水位ＰＬに達する。つまり、大洗浄，小洗浄という便器への排水量を異にするいずれの洗浄形式の場合にも、便器１１０内の溜水ＲＷは、内装タンク４１４内の貯溜水の回復と同期して回復される。  
【０１５３】
以上説明したように、第２実施例の洗浄タンク４１０を備えたサイホンゼット式便器１１０は、第一吐水口４２１に至る水の流路と、第二吐水口４２３に至る水の流路とを別系統として設けつつ、このうちの第二吐水口４２３に至る水の流路にのみ流量調節機構４８０を設ける。この流量調節機構４８０の状態を変化させ、第二吐水口４２３から単位時間当たりに吐出される水量を、大洗浄の場合と小洗浄の場合とで異ならせることにより、便器１１０への補給水の単位時間当たりにおける供給量を、大洗浄，小洗浄ごとに調節する。従って、便器１１０の洗浄によって排出された溜水ＲＷを、自由なタイミングで洗浄前の状態に回復することができる。  
【０１５４】
特に、第２実施例では、内装タンク４１４からより多量の貯溜水が排水される大洗浄の場合に、便器１１０への補給水の単位時間当たりにおける供給量が減少するように調節する。従って、内装タンク４１４内の貯溜水を洗浄前の状態に回復するために第一吐水口４２１から長時間に亘る吐水が必要な場合において、便器への過剰な水の供給を抑制し、便器１１０に供給される補給水の量を適正化することができる。例えば、こぼし水の量を減少することにより、節水を図ることが可能となる。  
【０１５５】
また、第２実施例では、大洗浄，小洗浄のいずれの場合にも、便器１１０内の溜水ＲＷを、内装タンク４１４内の貯溜水の回復と同期して回復する。従って、便器の洗浄後におけるこぼし水の発生や溜水量不足を確実に防止することができる。  
【０１５６】
また、第２実施例の洗浄タンク３１０を備えたサイホンゼット式便器１０は、流量調節機構４８０の流通孔４８４ｊと導水管４２７ａとが重なり合う状態を、小洗浄用ボタン３２９、大洗浄用ボタン３３０の操作に伴って切り換える。従って、第二吐水口４２３から単位時間当たりに吐出される水の量を大洗浄と小洗浄との間で変更するために、複雑な調整を行なう必要がない。つまり、大洗浄用ボタン４３０の操作という便器の洗浄に必要な通常の動作を行なうだけで、第二吐水口４２３からの単位時間当たりの吐出量を少なくすることが可能となる。この結果、こぼし水の発生を簡単かつ確実に防止することができる。  
【０１５７】
なお、上記の第２実施例においては、内装タンク４１４内の貯溜水を洗浄前の状態に回復するまでの間、第一吐水口４２１および第二吐水口４２３の双方から水を吐出し続ける構成としたが、第二吐水口４２３から水が吐出される時間を、第一吐水口４２１とは別に制御する構成としてもよい。例えば、内装タンク４１４から便器１１０に排水される水量が多いほど、第二吐水口４２３から水が吐出される時間が短くなるように制御する構成や、第二吐水口４２３からの吐水が開始される時期を、第一吐水口４２１から吐水が開始される時期よりも遅らせる構成などを考えることができる。このような構成によっても、大洗浄の場合において、溜水ＲＷの回復後における便器１１０を抑制することが可能となり、こぼし水の発生を防止することができる。  
【０１５８】
この他、便器１１０内の溜水ＲＷの水位を水位センサ等の各種の検知手段によって検知し、内装タンク４１４内の貯溜水が洗浄前の状態に回復した時点で、第二吐水口４２３からの水の吐出を停止する構成としてもよい。こうすれば、こぼし水の発生を確実に防止することができる。  
【０１５９】
以上説明した第２実施例では、便器１０に補給水が供給される態様を大洗浄と小洗浄との間で異ならせることにより、補給水の量の適正化を実現した。このような補給水の量の適正化は、内装タンク４１４に貯溜水が貯溜される態様を大洗浄と小洗浄との間で異ならせることによっても、実現することができる。このような構成例を、第３実施例として図２３ないし図２８を参照しつつ以下に説明する。図２３は、本発明の第３実施例である洗浄タンク５１０を備えたサイホンゼット式の便器２１０の縦断面図を示す説明図である。図２３に示す便器２１０、洗浄タンク５１０は、前述した第２実施例の便器１１０、洗浄タンク４１０とほぼ共通の各部を備える。図２３では、この第２実施例と共通の各部につき、符号の下二桁を第２実施例と同じ数字を用いて表わしている。  
【０１６０】
洗浄タンク５１０は、第一吐水口５２１が形成された第一ボールタップ５２０ａと第二吐水口５２３が形成された第二ボールタップ５２０ｂという２つの給水装置を備える。第二吐水口５２３の先端は、オーバーフロー管３４０の先端と対向する位置に配置されている。第一ボールタップ５２０ａと第二ボールタップ５２０ｂの入口は、止水栓に設けられた分岐金具の２つの出口のそれぞれと接続されている。また、第一ボールタップ５２０ａ，第二ボールタップ５２０ｂの内部には、それぞれ開閉弁５１９ａ、開閉弁５１９ｂが設けられており、これらの開閉弁５１９ａ，開閉弁５１９ｂは、それぞれ、図示しないアーム５５０ａ，アーム５５０ｂによって浮子５２２と接続されている。  
【０１６１】
また、第一ボールタップ５２０ａの第一吐水口５２１の手前には、流量調節機構５８０が設けられている。この流量調節機構５８０は、第１実施例における流量調節機構３８０とほぼ同様の構成を採るが、流量調節機構５８０内に収納された切換弁５８４の構成が、第１実施例と異なる。即ち、図２４に示すように、切換弁５８４の弁体５８４ａは、第１実施例における弁体３８４ａが表裏反転された形状とされている。第３実施例では、第１実施例における流量調節機構４８０の弁体３８４ａを裏返して軸体３８６に固着したものを流量調節機構５８０として利用している。  
【０１６２】
このように構成された洗浄タンク５１０において小洗浄用ボタン５２９，大洗浄用ボタン５３０が操作されると、内装タンク５１４から貯溜水が便器２１０に排水される。これにより、内装タンク５１４内の水位は、小洗浄の場合には小洗浄後水位ＤＷＬ２の高さまで、大洗浄の場合には大洗浄後水位ＤＷＬ１の高さまで、それぞれ低下する。この水位の低下に伴って、浮子５２２の作用により開閉弁５１９ａ，開閉弁５１９ｂが開き、第一ボールタップ５２０ａ，第二ボールタップ５２０ｂへの給水が開始される。  
【０１６３】
第二ボールタップ５２０ｂ内に給水された水は、導水管５２７ｃ内を通って第二吐水口５２３から吐出される。このため、第二吐水口５２３から吐水される水の吐水状態は、大洗浄、小洗浄のいずれの場合も同じとなる。即ち、大洗浄時の第二瞬間吐出量Ｂ２は、小洗浄時の第二瞬間吐出量Ｓ２と同じ値となる。従って、大洗浄、小洗浄のいずれの場合にも、便器２１０には、単位時間当たりに同じ量の補給水が供給される。  
【０１６４】
一方、第一ボールタップ５２０ａ内に給水された水は、導水管５２７ａ内を通って流量調節機構５８０を通過し、第二吐水口５２３とほぼ同じ口径の第一吐水口５２１から吐出される。このとき、流量調節機構５８０の流通孔５８４ｊと導水管５２７ａとの位置関係は、大洗浄の場合には図２５に示す状態となっており、小洗浄の場合には図２６に示す状態となっている。  
【０１６５】
図２５に示すように、大洗浄用ボタン５３０が操作された場合には、第二羽部５８４ｃが上昇することにより、流通孔５８４ｊは導水管５２７ａの全部と重なる。このため、導水管５２７ａに導かれた水のほとんどが流量調節機構５８０を通過し、第一吐水口５２１に至る。一方、小洗浄用ボタン５２９が操作された場合には、図２６に示すように、第一羽部５８４ｂが上昇することにより、流通孔５８４ｊは、導水管５２７ａ一部と重なる。このため、導水管５２７ａからの水は、流通孔５８４ｊを通過しにくくなる。このように、第３実施例では、第一吐水口５２１から吐水される水の吐水状態を、大洗浄時の第一瞬間吐出量Ｂ１が、小洗浄時の第一瞬間吐出量Ｓ１よりも大きくなるように調整し、内装タンク５１４に単位時間当たりに貯溜される水の量が、大洗浄の場合の方が小洗浄の場合より多くなるように制御している。  
【０１６６】
こうした第一吐水口５２１および第二吐水口５２３からの水の吐出は、内装タンク５１４内の貯溜水の水位が基準水位ＷＬに達するまでの間、継続して行なわれる。大洗浄の場合には、大洗浄時の第一瞬間吐出量Ｂ１が多いため、内装タンク５１４内の水位は大洗浄後水位ＤＷＬ１から早く上昇する。一方、小洗浄の場合には、小洗浄時の第一瞬間吐出量Ｓ１が少ないため、内装タンク５１４内の貯溜水の水位は、小洗浄後水位ＤＷＬ２からゆっくりと上昇する。  
【０１６７】
この水位が基準水位ＷＬに達する前に、便器２１０内において生じていたサイホン作用が終了する。このサイホン作用が終了した時点における内装タンク５１４内および便器２１０内の水の状態を、大洗浄の場合について図２７に、小洗浄の場合について図２８に、それぞれ示す。なお、図２７および図２８における斜線や波線、点模様は、図１８に示したのと同様の内容を表わす。  
【０１６８】
図２７および図２８に示すように、サイホン作用が終了した時点において、便器２１０内には、大洗浄，小洗浄のいずれの場合も、残り水が残水位ＤＰＬの高さまで溜まっている。また、内装タンク５１４内の貯溜水の水位は、大洗浄の場合には回復水位ＲＷＬ６まで、小洗浄の場合には回復水位ＲＷＬ６よりも高い回復水位ＲＷＬ７まで回復している。  
【０１６９】
第３実施例では、サイホン作用の終了時から内装タンク３１４の洗浄開始前の状態への回復までに要する時間が、大洗浄，小洗浄のいずれの場合も同じ時間となるように、大洗浄時の第一瞬間吐出量Ｂ１および小洗浄時の第一瞬間吐出量Ｓ１の値を設定する。従って、回復水位ＲＷＬ６から基準水位ＷＬに到達するまでに要する時間ｔｂの値は、回復水位ＲＷＬ７から基準水位ＷＬに到達するまでに要する時間ｔｓの値と等しくなる。また、前述したように、大洗浄時の第二瞬間吐出量Ｂ２は、小洗浄時の第二瞬間吐出量Ｓ２と同じ値とされている。従って、サイホン作用の終了時以後に第二吐水口５２３から吐出される水の総量は、大洗浄の場合と小洗浄の場合とで等しくなる。このため、サイホン作用の終了時以後、便器１０には、大洗浄，小洗浄の別に拘わらず、等量の補給水が供給される。  
【０１７０】
このサイホン作用の終了時以後に便器１０に供給される補給水の量は、基準溜水位ＰＬから残水位ＤＰＬまでの容量と、ほぼ等しい値に定められている。従って、便器２１０内の水は、内装タンク５１４内の貯溜水の水位が基準水位ＷＬまで達したときに、ちょうど基準溜水位ＰＬに達する。つまり、大洗浄，小洗浄という便器への排水量を異にするいずれの洗浄形式の場合にも、便器１１０内の溜水ＲＷは、内装タンク４１４内の貯溜水の回復と同期して回復される。  
【０１７１】
以上説明したように、第３実施例の洗浄タンク５１０を備えたサイホンゼット式便器２１０は、第一吐水口５２１に至る水の流路と、第二吐水口５２３に至る水の流路とを別系統として設けつつ、このうちの第一吐水口５２１に至る水の流路にのみ流量調節機構５８０を設ける。この流量調節機構５８０の状態を変化させ、第一吐水口５２１から単位時間当たりに吐出される水量を、大洗浄の場合と小洗浄の場合とで異ならせることにより、内装タンク５１４に単位時間当たりにおける貯溜される水の量を、大洗浄，小洗浄ごとに調節する。従って、内装タンク５１４に貯溜すべき水の総量が異なる場合であっても、内装タンク５１４内の貯溜水を洗浄前の状態に回復するタイミングを、自由に定めることができる。また、このタイミングを適切に定めることにより、便器２１０の洗浄によって排出された溜水ＲＷを洗浄前の状態に回復する理想的なタイミングを定めることができる。  
【０１７２】
特に、第３実施例では、内装タンク５１４からより多量の貯溜水が排水される大洗浄の場合に、内装タンク５１４に単位時間当たりにおける貯溜される水の量が増大するように調節する。従って、内装タンク４１４内の貯溜水を洗浄前の状態にいち早く回復することができる。内装タンク４１４内の貯溜水を洗浄前の状態に回復するために第一吐水口５２１から長時間に亘る吐水が必要な場合には、第二吐水口５２３からの便器２１０への過剰な水の供給を抑制し、便器１０に供給される補給水の量を適正化することができる。例えば、こぼし水の量を減少することにより、節水を図ることが可能となる。また、大洗浄時の第一瞬間吐出量Ｂ１を小洗浄時の第一瞬間吐出量Ｓ１よりも多くする。従って、内装タンク４１４内の貯溜水を基準水位ＷＬまで早く回復することが可能となる。この結果、大洗浄を行なった後に続けて便器を使用した場合でも、好適な洗浄能力を得ることができる。  
【０１７３】
また、第３実施例では、大洗浄時の第一瞬間吐出量Ｂ１および小洗浄時の第一瞬間吐出量Ｓ１の値を、サイホン作用の終了時から内装タンク３１４の洗浄開始前の状態への回復までに要する時間が、大洗浄，小洗浄のいずれの場合も同じ時間となるように設定する。このように内装タンク５１４内の貯溜水の貯溜に要する時間を制御することにより、内装タンク５１４内の貯溜水を洗浄前の状態に回復するタイミングを、大洗浄の場合と小洗浄の場合とで一致させることができる。更に、第３実施例では、大洗浄，小洗浄のいずれの場合にも、内装タンク５１４内の貯溜水の回復と同期して、便器２１０内の溜水ＲＷを回復する。従って、便器の洗浄後におけるこぼし水の発生や溜水量不足を確実に防止することができる。  
【０１７４】
以上、本発明の実施の形態を、第１ないし第３実施例を用いて説明した。なお、上記各実施例では、大洗浄および小洗浄のいずれの場合にも、便器１０，１１０，２１０内の溜水ＲＷを内装タンク３１４，４１４，５１４内の貯溜水の回復と同期して回復した。例えば、第１実施例の場合で言えば、内装タンク３１４内の貯溜水の水位が基準水位ＷＬまで達したときに、便器１０内の水がちょうど基準溜水位ＰＬに達するように、第一吐水口３２１および第二吐水口３２３からの単位時間当たりの吐水量を制御した。このような制御に替えて、便器１０内の水が基準溜水位ＰＬに達した後においても、第二吐水口３２３からの少量の吐水を許容し、若干の水が堰３４から溢れ出るように制御する構成を採ってもよい。  
【０１７５】
即ち、便器の洗浄の際に堰方向に引かれる水の量は、実際には、汚物の状態や便器の排水条件によって多少異なっている。そこで、堰方向に多量の水が引かれてしまった場合に対処し、基準溜水位ＰＬから残水位ＤＰＬまでの容量以上の水を便器１０に供給するように、第二吐水口３２３からの吐出量を制御することも現実的で好ましい。具体的には、基準溜水位ＰＬから残水位ＤＰＬまでの容量に加えて０．３〜０．５リットル分の水が便器１０に供給された時点で、内装タンク３１４内の貯溜水の水位が基準水位ＷＬに回復するように、第一吐水口３２１および第二吐水口３２３からの単位時間当たりの吐水量を制御する構成等を考えることができる。こうすれば、堰方向に多量の水が引かれてしまった場合に、便器１０内の溜水量が不足するという事態を回避することができる。また、堰方向に多量の水が引かれなかった場合であっても、こぼし水の量を、従来よりも少量の０．３〜０．５リットルの範囲で抑えることが可能となり、こぼし水の過剰な発生を防止することができる。  
【０１７６】
上記の各実施例では、第一吐水口３２１，５２１や第二吐水口３２３，４２３からの単位時間当たりの吐水量を大洗浄，小洗浄の別に応じて調節することにより、便器１０，１１０，２１０に補給水が供給される態様や内装タンク３１４，４１４，５１４に貯溜水が貯溜される態様を制御するが、単位時間当たりの吐水量以外の要素を変化させる構成とすることも可能である。例えば、各吐水口から水が吐水される時期や期間を変化させる構成や、各吐水口から吐水される水の速度や方向等を変化させる構成とすれば、貯溜水と補給水との配分を変更可能であり、上記と同様の効果を得ることができる。  
【０１７７】
また、上記各実施例では、第一吐水口３２１，４２１，５２１や第二吐水口３２３，４２３，５２３という２つの吐水口を設けるが、３つ以上の吐水口を設ける構成としてもよい。例えば、オーバーフロー管３４０，４４０，５４０に向かう１の吐水口に加えて、内装タンク３１４，４１４，５１４底面に向かう２つの吐水口を設ければ、内装タンク３１４，４１４，５１４内により早く水を溜めることができるので、内装タンク３１４，４１４，５１４に貯溜水が貯溜される期間を制御することが可能となり、これにより、便器１０，１１０，２１０への補給水の供給量や供給期間を変更することが可能となる。  
【０１７８】
また、洗浄タンク３１０の蓋３１７に手洗鉢を形成するとともに、手洗用の吐水管を組み付け、この手洗用の吐水管に水を供給するための第三の吐水口をボールタップ３２０に設ける構成としてもよい。この場合、第三の吐水口から供給された水は、手洗用の吐水管から吐出されて、蓋３１７の底部に形成された孔を通じて内装タンク３１４内に落下する。この落下した水については、そのまま貯溜水として貯溜してもよいし、オーバーフロー管３４０に供給し、便器１０への補給水としてもよい。  
【０１７９】
また、１つの吐水口のみを設ける構成とすることもできる。例えば、吐水口の吐水方向を２以上の方向に変更可能とし、ボールタップからの水を、内装タンク３１４，４１４，５１４の底面とオーバーフロー管３４０，４４０，５４０の入口とに振り分けて吐出する構成とすれば、この振り分け方を大洗浄の場合と小洗浄の場合とで変えることにより、貯溜水，補給水の量や貯溜水と補給水との配分を変更することができる。  
【０１８０】
また、上記各実施例では、補給水の供給方法に関し、第二吐水口３２３，４２３，５２３から吐出された水をオーバーフロー管３４０，４４０，５４０を通じて便器１０，１１０，２１０に供給するものとしているが、これ以外の方法で、便器１０，１１０，２１０に補給水を供給してもよい。例えば、温水洗浄便座や止水栓と便器１０，１１０，２１０とを給水管によって接続し、この給水管を通じて便器に補給水を供給する構成等を考えることができる。  
【０１８１】
また、第一吐水口３２１，４２１，５２１から吐出されて内装タンク３１４内に溜まった貯溜水の一部を、補給水として利用してもよい。例えば、第二吐水口３２３，４２３，５２３を設けずに、オーバーフロー管３４０，４４０，５４０の入口をより低い位置に設けておき、内装タンク３１４内の貯溜水の水位がオーバーフロー管３４０，４４０，５４０の入口よりも高くなったときに、オーバーフロー管３４０，４４０，５４０から溢れた水を、補給水として便器１０，１１０，２１０に供給する構成等を考えることができる。  
【０１８２】
さらに、第二吐水口３２３，４２３，５２３から吐出された水を第一吐水口３２１，４２１，５２１から吐出された水とは別に蓄える貯蔵部を、洗浄タンク３１０内に設け、この貯蔵部に蓄えられた水を補給水として便器１０，１１０，２１０に供給する構成としてもよい。  
【０１８３】
また、上記各実施例では、流量調節機構３８０の切換弁３８４の状態を、大洗浄用ボタン３３０や小洗浄用ボタン３２９の操作による第一移動体３３２や第二移動体３３１の移動に伴って機械的に切り換えるが、このような機械的な手法以外の方法で、切換弁３８４の状態を切り換えてもよい。例えば、切換弁３８４を、通電状態に応じて弁を開閉する電磁弁として構成するとともに、この電磁弁に制御信号を送出する電子制御装置を設け、この電子制御装置が、大洗浄用ボタン３３０、小洗浄用ボタン３２９の操作に応じた信号を入力し、電磁弁の開閉状態を調節する構成等を考えることができる。  
【０１８４】
なお、流量調節機構３８０による流量の調節や配分変更を、給水圧に対応して行なうことも可能である。例えば、給水圧を検知するアクチュエータを別途設け、検知された水圧の高低に応じて切換弁３８４の回転角度を決定する構成とすれば、補給水と貯溜水との配分をより正確に行うことができる点で好適である。また、流量調節機構３８０よりも上流側に減圧弁を設け、流量調節機構３８０に一定以下の水圧で給水する構成としてもよい。  
【０１８５】
上記各実施例では、流量調節機構３８０の流通孔３８４ｊと導水管３２７ａとが重なり合う状態を、小洗浄用ボタン３２９、大洗浄用ボタン３３０の操作に伴って切り換えるが、このような重合状態の切り換えは、小洗浄用ボタン３２９、大洗浄用ボタン３３０の操作に連動しないものであっても差し支えない。例えば、流通孔３８４ｊと導水管３２７ａとの重合状態を大洗浄モード，小洗浄モードのいずれかに切り換えるボタンやつまみ等を別途設け、このボタンやつまみ等の操作に基づいて、補給水の単位時間当たりの供給量や補給水が供給される時間、貯溜水の単位時間当たりの貯溜量や貯溜水の貯溜に要する時間等を調節する構成等を考えることができる。  
【０１８６】
また、上記のボタンやつまみを、流通孔３８４ｊと導水管３２７ａとの重合状態を任意の状態に切り換え可能に構成してもよい。こうすれば、補給水の単位時間当たりの供給量や補給水が供給される時間、貯溜水の単位時間当たりの貯溜量や貯溜水の貯溜に要する時間等を使用者の目的や用途に合わせて自由に調節することが可能となる。例えば、ボタンやつまみを操作し、ボールタップ３２０からの水を、内装タンク３１４内には貯溜せず、補給水のみを便器１０に供給する状態に設定可能とすれば、便器１０を掃除する場合に便利である。  
【０１８７】
また、流量調節機構３８０を設ける以外の方法で、第一吐水口３２１，第二吐水口３２３から吐水される水の状態を制御することも可能である。例えば、吐水口の内径を、大洗浄の場合と小洗浄の場合とで変化させればよい。具体的には、具体的には、第二吐水口３２３の先端に、第二吐水口３２３の断面積よりも小さな面積の板状体を入れておき、この板状体が、小洗浄用ボタン３２９の操作による第二移動体３３１の移動に伴って第二吐水口３２３の外側にスライドし、大洗浄用ボタン３３０の操作による第一移動体３３２の移動に伴って第二吐水口３２３の内側にスライドするような構成等を考えることができる。このような構成を採れば、大洗浄の場合における第二吐水口３２３からの単位時間当たりの吐水量は小洗浄の場合よりも少なくなり、前述した流量調節機構３８０を設けた場合と同様の効果を得ることができる。  
【０１８８】
上記各実施例では、小洗浄用ボタン３２９および大洗浄用ボタン３３０という２種類の操作ボタンを設けるが、大洗浄および小洗浄に共通の１の操作ボタンのみを設ける構成とすることも可能である。例えば、操作ボタンの押圧深さによって大洗浄か小洗浄かを区別し、ボタンの押圧深さに応じて第一アーム３３４や第一羽部３８４ｂの状態が異なるように構成すればよい。こうすれば、流量調節機構３８０の流通孔３８４ｊと導水管３２７ａとが重なり合う状態を、１の操作ボタンのみによって切り換えることができる。  
【０１８９】
また、小洗浄用ボタン３２９および大洗浄用ボタン３３０に替えて、大洗浄、小洗浄の切り換え操作が可能なハンドルを設ける構成とすることも可能である。この場合には、ハンドルを軸支するスピンドルの一部が、ハンドルの操作に伴って第一羽部３８４ｂや第二羽部３８４ｃに当接するように構成すればよい。  
【０１９０】
また、赤外線センサ等のセンサを設け、このセンサの検知状態により、小便用排水弁３４４，大便用排水弁３４５の開閉や流量調節機構３８０の切り換えを行なう構成としても差し支えない。  
【０１９１】
上記各実施例では、洗浄タンク３１０から便器１０に排水する水量を、大洗浄、小洗浄の２通りに規定したが、３通り以上に規定するものであっても差し支えない。例えば、大洗浄用、小洗浄用、清掃用の３つのケースを想定し、これらの各々に別々の水量を規定するものであってもよい。  
【０１９２】
上記各実施例では、内装タンク３１４，４１４，５１４内に貯溜水を貯溜する構成とするが、このような内装タンク３１４，４１４，５１４を設けず、外装タンク３１２に貯溜水を貯溜する構成としても差し支えない。  
【０１９３】
上記各実施例では、洗浄タンク３１０，４１０，５１０を、大洗浄、小洗浄のいずれの場合にも、洗浄後に同じ水位まで回復するように構成するが、大洗浄の場合と小洗浄の場合とで、異なった水位に回復する構成としても差し支えない。  
【０１９４】
上記各実施例では、洗浄タンクとして、便器１０，１１０，２１０と密接して連結されるロータンク型タンクを用いたが、ロータンク型タンク以外のタンク、例えば、便器１０，１１０，２１０と洗浄管を介して接続されてトイレの壁等に設置される隅付き型や平付き型のタンクを用いてもよい。この場合に、洗浄タンクを高い位置に設置してハイタンクとすることも可能である。  
【０１９５】
以上、本発明が実施される形態を、実施例を用いて説明した。本発明はこうした実施例に何等限定されるものではなく、本発明の要旨を逸脱しない範囲内において種々なる様態で実施し得ることは勿論である。  
【０１９６】
例えば、上述した流量調節機構３８０を、吐水状態変更装置の発明として把握することも可能である。即ち、上記の流量調節機構３８０は、ボールタップ３２０が備える第一吐水口３２１と第二吐水口３２３という２つの吐水口から吐水される水の配分を、吐水される水の総量の多少に応じて変更する。従って、第一吐水口３２１を通じて洗浄タンク３１０内に貯溜する水と、第二吐水口３２３を通じて便器１０に供給する水との配分を、自由な配分に調節することができる。  
【０１９７】
また、上述した流量調節機構３８０を備えたボールタップ３２０を、吐水状態変更装置を備えた水栓金具の発明として把握することも可能である。即ち、上記のボールタップ３２０は、流量調節機構３８０を備えることにより、第一吐水口３２１と第二吐水口３２３という各吐水口から吐水される水の配分を、大洗浄用ボタン３３０，小洗浄用ボタン３２９の操作に基づいて変更する。従って、洗浄タンク３１０内に貯溜する水と、便器１０に供給する水との配分を、自由な配分に調節することができる。また、ボールタップ３２０以外の複数の吐水口を有する水栓金具に、流量調節機構３８０に相当する機構（各吐水口からの吐水時間や吐水量等を操作によって調節する機構）を設けた場合、各吐水口３２１，３２３から吐水される水の状態を自由に調節することが可能となり、便利である。  
【０１９８】
上記実施例では、サイホンゼット式便器１０，１１０，２１０を例として説明したが、本発明を他の種類の便器に適用することも可能である。例えば、洗浄水をゼット孔から噴出することなくサイホン作用を引き起こすサイホン式便器や、サイホン作用による引き込み力を利用しない便器にも適用することができる。  
【０１９９】
また、上記した各種の便器と他の装置や部材との組み合わせを発明として把握することもできる。例えば、局部洗浄や暖房等の諸機能を実現する機能便座と組み合わせた衛生洗浄装置、収納用キャビネットや手洗装置と組み合わせたトイレキット装置、トイレ室内の構造体としての壁材，床材および天井材等を組み合わせたシステムトイレ装置等が考えられる。
【符号の説明】
【０２００】
１０…サイホンゼット式便器  
２０…ボール部  
２１…リム部  
２２…ゼット噴出孔  
２３…覆水面  
２４…乾燥面  
２５…排出口  
２６…凹部  
２８…タンク密結孔  
２９…便座取付用孔  
３０…排水路  
３１…接続路  
３２…上昇路  
３３…下降路  
３４…堰  
３５…屈曲部  
４０…洗浄水給水孔  
４１…洗浄水給水路  
４１ａ…滞留部  
４２…分岐孔  
４３…リム給水路  
４４…水出し孔  
４４ａ…大孔  
４４ｂ…中孔  
４４ｃ…小孔  
４４ｄ…長孔  
４４ｅ…長孔  
４５…ゼット給水孔  
４６…ゼット給水路  
５０…水底面  
５１…ゼット導水面  
７０…排水ソケット  
９０…排水立ち上げ管  
３１０…洗浄タンク  
３１２…外装タンク  
３１４…内装タンク  
３１６…断熱材  
３１７…蓋  
３１９…開閉弁  
３２０…ボールタップ  
３２１…第一吐水口  
３２２…浮子  
３２３…第二吐水口  
３２４…給水ホース  
３２５…給水口  
３２６…穴  
３２７…導水管  
３２７ａ…導水管  
３２７ｂ…導水管  
３２８…流入管  
３２９…小洗浄用ボタン  
３３０…大洗浄用ボタン  
３３１…第二移動体  
３３２…第一移動体  
３３３…第二アーム  
３３３ａ…貫通孔  
３３３ｂ…片端部  
３３３ｃ…他端部  
３３３ｄ…突出部  
３３４…第一アーム  
３３４ａ…貫通孔  
３３４ｂ…片端部  
３３４ｃ…他端部  
３３４ｄ…突出部  
３３５ａ，３３５ｂ…鎖  
３３６…ピン  
３３７…ピン  
３４０…オーバーフロー管  
３４０ａ…受け部  
３４０ｂ…受け部  
３４２…密結用ボルト  
３４４…小便用排水弁  
３４５…大便用排水弁  
３４６…排水管  
３４６ａ…下方突出部  
３４８…スペーサー  
３５０…アーム  
３５９…穴  
３６６…排水管接続用穴  
３６７…ボルト取付用穴  
３８０…流量調節機構  
３８２…筐体  
３８２ａ…筒部  
３８２ｂ…筒部  
３８４…切換弁  
３８４ａ…弁体  
３８４ｂ…第一羽部  
３８４ｃ…第二羽部  
３８４ｋ…軸孔  
３８４ｊ…流通孔  
３８６…軸体  
３８６ａ…内軸  
３８６ｂ…外軸  
４１０…洗浄タンク  
４１４…内装タンク  
４１９ａ…開閉弁  
４１９ｂ…開閉弁  
４２０ａ…第一ボールタップ  
４２０ｂ…第二ボールタップ  
４２１…第一吐水口  
４２２…浮子  
４２３…第二吐水口  
４２７ａ…導水管  
４２７ｃ…導水管  
４２９…小洗浄用ボタン  
４３０…大洗浄用ボタン  
４４０…オーバーフロー管  
４５０ａ…アーム  
４５０ｂ…アーム  
４８０…流量調節機構  
４８４…切換弁  
４８４ａ…弁体  
４８４ｃ…第二羽部  
４８４ｊ…流通孔  
５１０…洗浄タンク  
５１４…内装タンク  
５１９ｂ…開閉弁  
５１９ａ…開閉弁  
５２０ａ…第一ボールタップ  
５２０ｂ…第二ボールタップ  
５２１…第一吐水口  
５２２…浮子  
５２３…第二吐水口  
５２７ａ…導水管  
５２７ｂ…導水管  
５２７ｃ…導水管  
５２９…小洗浄用ボタン  
５３０…大洗浄用ボタン  
５５０ａ…アーム  
５５０ｂ…アーム  
５８０…流量調節機構  
５８４…切換弁  
５８４ａ…弁体  
５８４ｂ…第一羽部  
５８４ｃ…第二羽部  
５８４ｊ…流通孔  
ＤＰＬ…残水位  
ＤＷＬ１…大洗浄後水位  
ＤＷＬ２…小洗浄後水位  
ＮＷＬ１…回復水位  
ＰＬ…基準溜水位  
ＷＬ…基準水位  
ＲＷ…溜水  
ＲＷＬ１…回復水位  
ＲＷＬ４…回復水位  
ＲＷＬ５…回復水位  
ＲＷＬ６…回復水位  
ＲＷＬ７…回復水位
【図１】
0004798555.tif 000002
【図２】
0004798555.tif 000003
【図３】
0004798555.tif 000004
【図４】
0004798555.tif 000005
【図５】
0004798555.tif 000006
【図６】
0004798555.tif 000007
【図７】
0004798555.tif 000008
【図８】
0004798555.tif 000009
【図９】
0004798555.tif 000010
【図１０】
0004798555.tif 000011
【図１１】
0004798555.tif 000012
【図１２】
0004798555.tif 000013
【図１３】
0004798555.tif 000014
【図１４】
0004798555.tif 000015
【図１５】
0004798555.tif 000016
【図１６】
0004798555.tif 000017
【図１７】
0004798555.tif 000018
【図１８】
0004798555.tif 000019
【図１９】
0004798555.tif 000020
【図２０】
0004798555.tif 000021
【図２１】
0004798555.tif 000022
【図２２】
0004798555.tif 000023
【図２３】
0004798555.tif 000024
【図２４】
0004798555.tif 000025
【図２５】
0004798555.tif 000026
【図２６】
0004798555.tif 000027
【図２７】
0004798555.tif 000028
【図２８】
0004798555.tif 000029